(57)【要約】【課題】１つの転送時間長をアクセスの品質として絶対評価することによる問題の解決を図る。【解決手段】通信部２２は、ページが転送された端末１からそのときの転送時間長情報を受信し、統計処理部２３は、転送時間長情報数記憶部２１２から転送時間長情報数を、転送時間長総和記憶部２１１から転送時間長総和を、転送時間長２乗総和記憶部２１３から転送時間長２乗総和を読み出し、転送時間長平均ならびに転送時間長分散を求め、アクセス品質評価部２４は、受信された転送時間長情報と転送時間長平均と転送時間長分散からアクセス品質評価値を得て、通信部２２は、得られたアクセス品質評価値を端末１へ送信することで、ユーザは、アクセス品質評価値を知ることができる。【選択図】図１
2006227937.tif 000002
【特許請求の範囲】
【請求項１】
端末によりアクセスされたサーバのページが端末に転送されるまでの時間長を転送時間長としたときの複数の転送時間長の総和である転送時間長総和が記憶される転送時間長総和記憶手段と、
前記複数の転送時間長のそれぞれを示す転送時間長情報の合計数である転送時間長情報数が記憶される転送時間長情報数記憶手段と、
前記複数の転送時間長の２乗の総和である転送時間長２乗総和が記憶される転送時間長２乗総和記憶手段と、
ページが転送された端末からそのときの転送時間長情報を受信する転送時間長情報受信手段と、
前記転送時間長情報数記憶手段から転送時間長情報数を読み出し、前記転送時間長総和記憶手段から転送時間長総和を読み出し、前記転送時間長２乗総和記憶手段から転送時間長２乗総和を読み出し、これらの情報を用いて、複数の転送時間長の平均である転送時間長平均ならびに当該転送時間長の分散である転送時間長分散を求める統計処理手段と、
受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得るアクセス品質評価手段と、
得られたアクセス品質評価値を前記受信された転送時間長情報の送信元である端末へ送信するアクセス品質値送信手段
とを備えることを特徴とするアクセス品質評価装置。
【請求項２】
端末によりアクセスされたサーバのページが端末に転送されるまでの時間長を転送時間長としたときの同一のサーバから転送されるページについての複数の転送時間長の総和である転送時間長総和が記憶される部分を複数のサーバのそれぞれについて有する転送時間長総和記憶手段と、
前記複数の転送時間長のそれぞれを示す転送時間長情報の合計数である転送時間長情報数が記憶される部分を前記複数のサーバのそれぞれについて有する転送時間長情報数記憶手段と、
前記複数の転送時間長の２乗の総和である転送時間長２乗総和が記憶される部分を前記複数のサーバのそれぞれについて有する転送時間長２乗総和記憶手段と、
ページが表示された端末からそのときの転送時間長情報を当該ページを転送したサーバのサーバ名とともに受信する転送時間長情報受信手段と、
前記転送時間長情報数記憶手段の、受信されたサーバ名で示されるサーバに該当する部分から転送時間長情報数を読み出し、前記転送時間長総和記憶手段の、受信されたサーバ名で示されるサーバに該当する部分から転送時間長総和を読み出し、前記転送時間長２乗総和記憶手段の、受信されたサーバ名で示されるサーバに該当する部分から転送時間長２乗総和を読み出し、これらの情報を用いて、複数の転送時間長の平均である転送時間長平均ならびに当該転送時間長の分散である転送時間長分散を求める統計処理手段と、
受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得るアクセス品質評価手段と、
得られたアクセス品質評価値を前記受信された転送時間長情報の送信元である端末へ送信するアクセス品質値送信手段
とを備えることを特徴とするアクセス品質評価装置。
【請求項３】
端末によりアクセスされたサーバのページが端末に転送されるまでの時間長を転送時間長としたときの同一のページサイズ範囲に属するサイズを有するページについての複数の転送時間長の総和である転送時間長総和が記憶される部分を複数のページサイズ範囲のそれぞれについて有する転送時間長総和記憶手段と、
前記複数の転送時間長のそれぞれを示す転送時間長情報の合計数である転送時間長情報数が記憶される部分を前記複数のページサイズ範囲のそれぞれについて有する転送時間長情報数記憶手段と、
前記複数の転送時間長の２乗の総和である転送時間長２乗総和が記憶される部分を前記複数のページサイズ範囲のそれぞれについて有する転送時間長２乗総和記憶手段と、
ページが転送された端末からそのときの転送時間長情報を当該ページのサイズを示すページサイズ情報とともに受信する転送時間長情報受信手段と、
前記転送時間長情報数記憶手段の、受信されたページサイズ情報で示されるサイズの属するページサイズ範囲に該当する部分から転送時間長情報数を読み出し、前記転送時間長総和記憶手段の、受信されたページサイズ情報で示されるサイズの属するページサイズ範囲に該当する部分から転送時間長総和を読み出し、前記転送時間長２乗総和記憶手段の、受信されたページサイズ情報で示されるサイズの属するページサイズ範囲に該当する部分から転送時間長２乗総和を読み出し、これらの情報を用いて、複数の転送時間長の平均である転送時間長平均ならびに当該転送時間長の分散である転送時間長分散を求める統計処理手段と、
受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得るアクセス品質評価手段と、
得られたアクセス品質評価値を前記受信された転送時間長情報の送信元である端末へ送信するアクセス品質値送信手段
とを備えることを特徴とするアクセス品質評価装置。
【請求項４】
端末によりアクセスされたサーバのページが端末に転送されるまでの時間長を転送時間長としたときに同一の受信時刻範囲に属する受信時刻に転送時間長を示す転送時刻情報が受信された複数の転送時間長の総和である転送時間長総和が記憶される部分を複数の受信時刻範囲のそれぞれについて有する転送時間長総和記憶手段と、
前記複数の転送時間長のそれぞれを示す転送時間長情報の合計数である転送時間長情報数が記憶される部分を前記複数の受信時刻範囲のそれぞれについて有する転送時間長情報数記憶手段と、
前記複数の転送時間長の２乗の総和である転送時間長２乗総和が記憶される部分を前記複数の受信時刻範囲のそれぞれについて有する転送時間長２乗総和記憶手段と、
ページが転送された端末からそのときの転送時間長情報を受信する転送時間長情報受信手段と、
前記転送時間長情報数記憶手段の、受信された転送時刻情報の受信時刻の属する受信時刻範囲に該当する部分から転送時間長情報数を読み出し、前記転送時間長総和記憶手段の、受信された転送時刻情報の受信時刻の属する受信時刻範囲に該当する部分から転送時間長総和を読み出し、前記転送時間長２乗総和記憶手段の、当該受信時刻の属する受信時刻範囲に該当する部分から転送時間長２乗総和を読み出し、これらの情報を用いて、複数の転送時間長の平均である転送時間長平均ならびに当該転送時間長の分散である転送時間長分散を求める統計処理手段と、
受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得るアクセス品質評価手段と、
得られたアクセス品質評価値を前記受信された転送時間長情報の送信元である端末へ送信するアクセス品質値送信手段
とを備えることを特徴とするアクセス品質評価装置。
【請求項５】
端末によりアクセスされたサーバのページが端末に転送されるまでの時間長を転送時間長としたときに同一の受信時刻範囲に属する受信時刻に転送時間長を示す転送時刻情報が受信された複数の転送時間長の総和である転送時間長総和が記憶される部分を複数の受信時刻範囲のそれぞれについて有する転送時間長総和記憶手段と、
前記複数の転送時間長のそれぞれを示す転送時間長情報の合計数である転送時間長情報数が記憶される部分を前記複数の受信時刻範囲のそれぞれについて有する転送時間長情報数記憶手段と、
前記複数の転送時間長の２乗の総和である転送時間長２乗総和が記憶される部分を前記複数の受信時刻範囲のそれぞれについて有する転送時間長２乗総和記憶手段と、
ページが転送された端末からそのときの転送時間長情報を受信する転送時間長情報受信手段と、
前記転送時間長情報数記憶手段の、受信された転送時刻情報の受信時刻の属する受信時刻範囲に該当する部分から転送時間長情報数を読み出し、この転送時間長情報数が所定数に満たないときは、前記転送時間長情報数記憶手段の、２以上の受信時刻範囲に該当する部分に記憶された転送時間長情報数の合計を転送時間長情報数とし、前記転送時間長総和記憶手段の、当該２以上の受信時刻範囲に該当する部分に記憶された転送時間長総和の合計を転送時間長総和とし、前記転送時間長２乗総和記憶手段の、当該２以上の受信時刻範囲に該当する部分に記憶された転送時間長２乗総和の合計を転送時間長２乗総和とし、これらの情報を用いて、複数の転送時間長の平均である転送時間長平均ならびに当該転送時間長の分散である転送時間長分散を求める統計処理手段と、
受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得るアクセス品質評価手段と、
得られたアクセス品質評価値を前記受信された転送時間長情報の送信元である端末へ送信するアクセス品質値送信手段
とを備えることを特徴とするアクセス品質評価装置。
【請求項６】
端末によりアクセスされたサーバのページが端末に転送されるまでの時間長を転送時間長としたときの同一のページサイズ範囲に属するサイズを有するページについての複数の転送時間長の総和である転送時間長総和が記憶される部分を複数のページサイズ範囲のそれぞれについて有する転送時間長総和記憶手段と、
前記複数の転送時間長のそれぞれを示す転送時間長情報の合計数である転送時間長情報数が記憶される部分を前記複数のページサイズ範囲のそれぞれについて有する転送時間長情報数記憶手段と、
前記複数の転送時間長の２乗の総和である転送時間長２乗総和が記憶される部分を前記複数のページサイズ範囲のそれぞれについて有する転送時間長２乗総和記憶手段と、
ページが転送された端末からそのときの転送時間長情報を当該ページのサイズを示すページサイズ情報とともに受信する転送時間長情報受信手段と、
前記転送時間長情報数記憶手段の、受信されたページサイズ情報で示されるサイズの属するページサイズ範囲に該当する部分から転送時間長情報数を読み出し、この転送時間長情報数が所定数に満たないときは、前記転送時間長情報数記憶手段の、２以上のページサイズ範囲に該当する部分に記憶された転送時間長情報数の合計を転送時間長情報数とし、前記転送時間長総和記憶手段の、当該２以上のページサイズ範囲に該当する部分に記憶された転送時間長総和の合計を転送時間長総和とし、前記転送時間長２乗総和記憶手段の、当該２以上のページサイズ範囲に該当する部分に記憶された転送時間長２乗総和の合計を転送時間長２乗総和とし、これらの情報を用いて、複数の転送時間長の平均である転送時間長平均ならびに当該転送時間長の分散である転送時間長分散を求める統計処理手段と、
受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得るアクセス品質評価手段と、
得られたアクセス品質評価値を前記受信された転送時間長情報の送信元である端末へ送信するアクセス品質値送信手段
とを備えることを特徴とするアクセス品質評価装置。
【請求項７】
端末によりアクセスされたサーバのページが端末に転送されるまでの時間長を転送時間長としたときの複数の転送時間長の総和である転送時間長総和が記憶される転送時間長総和記憶手段と、
この転送時間長総和記憶手段に記憶された転送時間長総和が移し替えられて記憶される第２転送時間長総和記憶手段と、
前記複数の転送時間長のそれぞれを示す転送時間長情報の合計数である転送時間長情報数が記憶される転送時間長情報数記憶手段と、
この転送時間長情報数記憶手段に記憶された転送時間長情報数が移し替えられて記憶される第２転送時間長情報数記憶手段と、
前記複数の転送時間長の２乗の総和である転送時間長２乗総和が記憶される転送時間長２乗総和記憶手段と、
この転送時間長２乗総和記憶手段に記憶された転送時間長２乗総和が移し替えられて記憶される第２転送時間長２乗総和記憶手段と、
転送時間長総和記憶手段に記憶された転送時間長総和を所定の時刻に第２転送時間長総和記憶手段に移し替えて記憶させ、転送時間長情報数記憶手段に記憶された転送時間長情報数を所定の時刻に第２転送時間長情報数記憶手段に移し替えて記憶させ、転送時間長２乗総和記憶手段に記憶された転送時間長２乗総和を所定の時刻に第２転送時間長総和記憶手段に移し替えて記憶させる情報転送手段と、
ページが転送された端末からそのときの転送時間長情報を受信する転送時間長情報受信手段と、
転送時間長情報が受信されたとき、転送時間長総和記憶手段から転送時間長総和を読み出し、受信された転送時間長情報で示される転送時間長を加算して、転送時間長総和記憶手段に記憶させ、転送時間長情報数記憶手段に記憶された転送時間長情報数を読み出し、１を加算して、転送時間長情報数記憶手段に記憶させ、転送時間長２乗総和記憶手段から転送時間長２乗総和を読み出し、受信された転送時間長情報で示される転送時間長の２乗を加算して、転送時間長２乗総和記憶手段に記憶させる更新手段と、
転送時間長情報が受信されたとき、更新手段の処理の終了を待たずに、前記第２転送時間長情報数記憶手段から転送時間長情報数を読み出し、前記第２転送時間長総和記憶手段から転送時間長総和を読み出し、前記第２転送時間長２乗総和記憶手段から転送時間長２乗総和を読み出し、これらの情報を用いて、複数の転送時間長の平均である転送時間長平均ならびに当該転送時間長の分散である転送時間長分散を求める統計処理手段と、
受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得るアクセス品質評価手段と、
得られたアクセス品質評価値を前記受信された転送時間長情報の送信元である端末へ送信するアクセス品質値送信手段と
を備えることを特徴とするアクセス品質評価装置。
【請求項８】
前記アクセス品質評価手段は、アクセス品質評価値を
【数１】
2006227937.tif 000007
により算出する
ことを特徴とする請求項１ないし７のいずれかに記載のアクセス品質評価装置。
【請求項９】
所定のアクセス品質評価値、転送時間長平均と転送時間長分散とを変数とした第１式、当該転送時間長平均と転送時間長分散とを変数とした第２式、が互いに対応づけられる部分を複数のアクセス品質評価値のそれぞれについて有するアクセス品質評価値記憶手段を備え、
前記アクセス品質評価手段は、
前記アクセス品質評価値記憶手段の任意の部分から第１式を読み出し、この第１式の変数に、求められた転送時間長平均と転送時間長分散を代入し、前記アクセス品質評価値記憶手段の当該部分から第２式を読み出し、この第２式の変数に、求められた転送時間長平均と転送時間長分散を代入し、転送時間長平均と転送時間長分散を代入した第１式で示される上限と、転送時間長平均と転送時間長分散を代入した第２式で示される下限との間に、受信された転送時間長情報で示される転送時間長が属するときは、当該部分のアクセス品質評価値を読み出す
ことを特徴とする請求項１ないし７のいずれかに記載のアクセス品質評価装置。
【請求項１０】
端末によりアクセスされたサーバのページが端末に転送されるまでの時間長を転送時間長としたときの複数の転送時間長の総和である転送時間長総和が記憶される転送時間長総和記憶手段を備えるアクセス品質評価装置の統計処理手段が転送時間長総和を算出して転送時間長総和記憶手段に記憶させ、
前記複数の転送時間長のそれぞれを示す転送時間長情報の合計数である転送時間長情報数が記憶される転送時間長情報数記憶手段を備える前記アクセス品質評価装置の前記統計処理手段が転送時間長情報数を算出して転送時間長情報数記憶手段に記憶させ、
前記複数の転送時間長の２乗の総和である転送時間長２乗総和が記憶される転送時間長２乗総和記憶手段を備える前記アクセス品質評価装置の前記統計処理手段が転送時間長２乗総和を算出して転送時間長２乗総和記憶手段に記憶させ、
前記アクセス品質評価装置の転送時間長情報受信手段が、ページが転送された端末からそのときの転送時間長情報を受信し、
前記統計処理手段が、前記転送時間長情報数記憶手段から転送時間長情報数を読み出し、前記転送時間長総和記憶手段から転送時間長総和を読み出し、前記転送時間長２乗総和記憶手段から転送時間長２乗総和を読み出し、これらの情報を用いて、複数の転送時間長の平均である転送時間長平均ならびに当該転送時間長の分散である転送時間長分散を求め、
前記アクセス品質評価装置のアクセス品質評価手段が、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得て、
前記アクセス品質評価装置のアクセス品質値送信手段が、得られたアクセス品質評価値を前記受信された転送時間長情報の送信元である端末へ送信する
ことを特徴とするアクセス品質評価方法。
【請求項１１】
端末によりアクセスされたサーバのページが端末に転送されるまでの時間長を転送時間長としたときの同一のサーバから転送されるページについての複数の転送時間長の総和である転送時間長総和が記憶される部分を複数のサーバのそれぞれについて有する転送時間長総和記憶手段を備えるアクセス品質評価装置の統計処理手段が転送時間長総和を算出して転送時間長総和記憶手段に記憶させ、
前記複数の転送時間長のそれぞれを示す転送時間長情報の合計数である転送時間長情報数が記憶される部分を前記複数のサーバのそれぞれについて有する転送時間長情報数記憶手段を備えるアクセス品質評価装置の統計処理手段が転送時間長情報数を算出して転送時間長情報数記憶手段に記憶させ、
前記複数の転送時間長の２乗の総和である転送時間長２乗総和が記憶される部分を前記複数のサーバのそれぞれについて有する転送時間長２乗総和記憶手段を備えるアクセス品質評価装置の統計処理手段が転送時間長２乗総和を算出して転送時間長２乗総和記憶手段に記憶させ、
前記アクセス品質評価装置の転送時間長情報受信手段が、ページが転送された端末からそのときの転送時間長情報を当該ページを転送したサーバのサーバ名とともに受信し、
前記統計処理手段が、前記転送時間長情報数記憶手段の、受信されたサーバ名で示されるサーバに該当する部分から転送時間長情報数を読み出し、前記転送時間長総和記憶手段の、受信されたサーバ名で示されるサーバに該当する部分から転送時間長総和を読み出し、前記転送時間長２乗総和記憶手段の、受信されたサーバ名で示されるサーバに該当する部分から転送時間長２乗総和を読み出し、これらの情報を用いて、複数の転送時間長の平均である転送時間長平均ならびに当該転送時間長の分散である転送時間長分散を求め、
前記アクセス品質評価装置のアクセス品質評価手段が、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得て、
前記アクセス品質評価装置のアクセス品質値送信手段が、得られたアクセス品質評価値を前記受信された転送時間長情報の送信元である端末へ送信する
ことを特徴とするアクセス品質評価方法。
【請求項１２】
端末によりアクセスされたサーバのページが端末に転送されるまでの時間長を転送時間長としたときの同一のページサイズ範囲に属するサイズを有するページについての複数の転送時間長の総和である転送時間長総和が記憶される部分を複数のページサイズ範囲のそれぞれについて有する転送時間長総和記憶手段を備えるアクセス品質評価装置の統計処理手段が転送時間長総和を算出して転送時間長総和記憶手段に記憶させ、
前記複数の転送時間長のそれぞれを示す転送時間長情報の合計数である転送時間長情報数が記憶される部分を前記複数のページサイズ範囲のそれぞれについて有する転送時間長情報数記憶手段を備える前記アクセス品質評価装置の前記統計処理手段が転送時間長情報数を算出して転送時間長情報数記憶手段に記憶させ、
前記複数の転送時間長の２乗の総和である転送時間長２乗総和が記憶される部分を前記複数のページサイズ範囲のそれぞれについて有する転送時間長２乗総和記憶手段を備える前記アクセス品質評価装置の前記統計処理手段が転送時間長２乗総和を算出して転送時間長２乗総和記憶手段に記憶させ、
前記アクセス品質評価装置の転送時間長情報受信手段が、ページが転送された端末からそのときの転送時間長情報を当該ページのサイズを示すページサイズ情報とともに受信し、
前記統計処理手段が、前記転送時間長情報数記憶手段の、受信されたページサイズ情報で示されるサイズの属するページサイズ範囲に該当する部分から転送時間長情報数を読み出し、前記転送時間長総和記憶手段の、受信されたページサイズ情報で示されるサイズの属するページサイズ範囲に該当する部分から転送時間長総和を読み出し、前記転送時間長２乗総和記憶手段の、受信されたページサイズ情報で示されるサイズの属するページサイズ範囲に該当する部分から転送時間長２乗総和を読み出し、これらの情報を用いて、複数の転送時間長の平均である転送時間長平均ならびに当該転送時間長の分散である転送時間長分散を求め、
前記アクセス品質評価装置のアクセス品質評価手段が、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得て、
前記アクセス品質評価装置のアクセス品質値送信手段が、得られたアクセス品質評価値を前記受信された転送時間長情報の送信元である端末へ送信する
ことを特徴とするアクセス品質評価方法。
【請求項１３】
端末によりアクセスされたサーバのページが端末に転送されるまでの時間長を転送時間長としたときに同一の受信時刻範囲に属する受信時刻に転送時間長を示す転送時刻情報が受信された複数の転送時間長の総和である転送時間長総和が記憶される部分を複数の受信時刻範囲のそれぞれについて有する転送時間長総和記憶手段を備えるアクセス品質評価装置の統計処理手段が転送時間長総和を算出して転送時間長総和記憶手段に記憶させ、
前記複数の転送時間長のそれぞれを示す転送時間長情報の合計数である転送時間長情報数が記憶される部分を前記複数の受信時刻範囲のそれぞれについて有する転送時間長情報数記憶手段を備える前記アクセス品質評価装置の前記統計処理手段が転送時間長情報数を算出して転送時間長情報数記憶手段に記憶させ、
前記複数の転送時間長の２乗の総和である転送時間長２乗総和が記憶される部分を前記複数の受信時刻範囲のそれぞれについて有する転送時間長２乗総和記憶手段を備える前記アクセス品質評価装置の前記統計処理手段が転送時間長２乗総和を算出して転送時間長２乗総和記憶手段に記憶させ、
前記アクセス品質評価装置の転送時間長情報受信手段が、ページが転送された端末からそのときの転送時間長情報を受信し、
前記統計処理手段が、前記転送時間長情報数記憶手段の、受信された転送時刻情報の受信時刻の属する受信時刻範囲に該当する部分から転送時間長情報数を読み出し、前記転送時間長総和記憶手段の、受信された転送時刻情報の受信時刻の属する受信時刻範囲に該当する部分から転送時間長総和を読み出し、前記転送時間長２乗総和記憶手段の、当該受信時刻の属する受信時刻範囲に該当する部分から転送時間長２乗総和を読み出し、これらの情報を用いて、複数の転送時間長の平均である転送時間長平均ならびに当該転送時間長の分散である転送時間長分散を求め、
前記アクセス品質評価装置のアクセス品質評価手段が、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得て、
前記アクセス品質評価装置のアクセス品質値送信手段が、得られたアクセス品質評価値を前記受信された転送時間長情報の送信元である端末へ送信する
ことを特徴とするアクセス品質評価方法。
【請求項１４】
端末によりアクセスされたサーバのページが端末に転送されるまでの時間長を転送時間長としたときに同一の受信時刻範囲に属する受信時刻に転送時間長を示す転送時刻情報が受信された複数の転送時間長の総和である転送時間長総和が記憶される部分を複数の受信時刻範囲のそれぞれについて有する転送時間長総和記憶手段を備えるアクセス品質評価装置の統計処理手段が転送時間長総和を算出して転送時間長総和記憶手段に記憶させ、
前記複数の転送時間長のそれぞれを示す転送時間長情報の合計数である転送時間長情報数が記憶される部分を前記複数の受信時刻範囲のそれぞれについて有する転送時間長情報数記憶手段を備える前記アクセス品質評価装置の前記統計処理手段が転送時間長情報数を算出して転送時間長情報数記憶手段に記憶させ、
前記複数の転送時間長の２乗の総和である転送時間長２乗総和が記憶される部分を前記複数の受信時刻範囲のそれぞれについて有する転送時間長２乗総和記憶手段を備える前記アクセス品質評価装置の前記統計処理手段が転送時間長２乗総和を算出して転送時間長２乗総和記憶手段に記憶させ、
前記アクセス品質評価装置の転送時間長情報受信手段が、ページが転送された端末からそのときの転送時間長情報を受信し、
前記統計処理手段が、前記転送時間長情報数記憶手段の、受信された転送時刻情報の受信時刻の属する受信時刻範囲に該当する部分から転送時間長情報数を読み出し、この転送時間長情報数が所定数に満たないときは、前記転送時間長情報数記憶手段の、２以上の受信時刻範囲に該当する部分に記憶された転送時間長情報数の合計を転送時間長情報数とし、前記転送時間長総和記憶手段の、当該２以上の受信時刻範囲に該当する部分に記憶された転送時間長総和の合計を転送時間長総和とし、前記転送時間長２乗総和記憶手段の、当該２以上の受信時刻範囲に該当する部分に記憶された転送時間長２乗総和の合計を転送時間長２乗総和とし、これらの情報を用いて、複数の転送時間長の平均である転送時間長平均ならびに当該転送時間長の分散である転送時間長分散を求め、
前記アクセス品質評価装置のアクセス品質評価手段が、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得て、
前記アクセス品質評価装置のアクセス品質値送信手段が、得られたアクセス品質評価値を前記受信された転送時間長情報の送信元である端末へ送信する
ことを特徴とするアクセス品質評価方法。
【請求項１５】
端末によりアクセスされたサーバのページが端末に転送されるまでの時間長を転送時間長としたときの同一のページサイズ範囲に属するサイズを有するページについての複数の転送時間長の総和である転送時間長総和が記憶される部分を複数のページサイズ範囲のそれぞれについて有する転送時間長総和記憶手段を備えるアクセス品質評価装置の統計処理手段が転送時間長総和を算出して転送時間長総和記憶手段に記憶させ、
前記複数の転送時間長のそれぞれを示す転送時間長情報の合計数である転送時間長情報数が記憶される部分を前記複数のページサイズ範囲のそれぞれについて有する転送時間長情報数記憶手段を備える前記アクセス品質評価装置の前記統計処理手段が転送時間長情報数を算出して転送時間長情報数記憶手段に記憶させ、
前記複数の転送時間長の２乗の総和である転送時間長２乗総和が記憶される部分を前記複数のページサイズ範囲のそれぞれについて有する転送時間長２乗総和記憶手段を備える前記アクセス品質評価装置の前記統計処理手段が転送時間長２乗総和を算出して転送時間長２乗総和記憶手段に記憶させ、
前記アクセス品質評価装置の転送時間長情報受信手段が、ページが転送された端末からそのときの転送時間長情報を当該ページのサイズを示すページサイズ情報とともに受信し、
前記統計処理手段が、前記転送時間長情報数記憶手段の、受信されたページサイズ情報で示されるサイズの属するページサイズ範囲に該当する部分から転送時間長情報数を読み出し、この転送時間長情報数が所定数に満たないときは、前記転送時間長情報数記憶手段の、２以上のページサイズ範囲に該当する部分に記憶された転送時間長情報数の合計を転送時間長情報数とし、前記転送時間長総和記憶手段の、当該２以上のページサイズ範囲に該当する部分に記憶された転送時間長総和の合計を転送時間長総和とし、前記転送時間長２乗総和記憶手段の、当該２以上のページサイズ範囲に該当する部分に記憶された転送時間長２乗総和の合計を転送時間長２乗総和とし、これらの情報を用いて、複数の転送時間長の平均である転送時間長平均ならびに当該転送時間長の分散である転送時間長分散を求め、
前記アクセス品質評価装置のアクセス品質評価手段が、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得て、
前記アクセス品質評価装置のアクセス品質値送信手段が、得られたアクセス品質評価値を前記受信された転送時間長情報の送信元である端末へ送信する
ことを特徴とするアクセス品質評価方法。
【請求項１６】
端末によりアクセスされたサーバのページが端末に転送されるまでの時間長を転送時間長としたときの複数の転送時間長の総和である転送時間長総和が記憶される転送時間長総和記憶手段を備えるアクセス品質評価装置の統計処理手段が転送時間長総和を算出して転送時間長総和記憶手段に記憶させ、
前記複数の転送時間長のそれぞれを示す転送時間長情報の合計数である転送時間長情報数が記憶される転送時間長情報数記憶手段を備える前記アクセス品質評価装置の前記統計処理手段が転送時間長情報数を算出して転送時間長情報数記憶手段に記憶させ、
前記複数の転送時間長の２乗の総和である転送時間長２乗総和が記憶される転送時間長２乗総和記憶手段を備える前記アクセス品質評価装置の前記統計処理手段が転送時間長２乗総和を算出して転送時間長２乗総和記憶手段に記憶させ、
前記アクセス品質評価装置の情報転送手段が、転送時間長総和記憶手段に記憶された転送時間長総和を所定の時刻に第２転送時間長総和記憶手段に移し替えて記憶させ、転送時間長情報数記憶手段に記憶された転送時間長情報数を所定の時刻に第２転送時間長情報数記憶手段に移し替えて記憶させ、転送時間長２乗総和記憶手段に記憶された転送時間長２乗総和を所定の時刻に第２転送時間長総和記憶手段に移し替えて記憶させ、
前記アクセス品質評価装置の転送時間長情報受信手段が、ページが転送された端末からそのときの転送時間長情報を受信し、
前記アクセス品質評価装置の更新手段が、転送時間長情報が受信されたとき、転送時間長総和記憶手段から転送時間長総和を読み出し、受信された転送時間長情報で示される転送時間長を加算して、転送時間長総和記憶手段に記憶させ、転送時間長情報数記憶手段に記憶された転送時間長情報数を読み出し、１を加算して、転送時間長情報数記憶手段に記憶させ、転送時間長２乗総和記憶手段から転送時間長２乗総和を読み出し、受信された転送時間長情報で示される転送時間長の２乗を加算して、転送時間長２乗総和記憶手段に記憶させ、
前記統計処理手段が、転送時間長情報が受信されたとき、更新手段の処理の終了を待たずに、前記第２転送時間長情報数記憶手段から転送時間長情報数を読み出し、前記第２転送時間長総和記憶手段から転送時間長総和を読み出し、前記第２転送時間長２乗総和記憶手段から転送時間長２乗総和を読み出し、これらの情報を用いて、複数の転送時間長の平均である転送時間長平均ならびに当該転送時間長の分散である転送時間長分散を求め、
前記アクセス品質評価装置のアクセス品質評価手段が、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得て、
前記アクセス品質評価装置のアクセス品質値送信手段が、得られたアクセス品質評価値を前記受信された転送時間長情報の送信元である端末へ送信する
ことを特徴とするアクセス品質評価方法。
【請求項１７】
前記アクセス品質評価手段は、アクセス品質評価値を
【数２】
2006227937.tif 000008
により算出する
ことを特徴とする請求項１０ないし１６のいずれかに記載のアクセス品質評価方法。
【請求項１８】
所定のアクセス品質評価値、転送時間長平均と転送時間長分散とを変数とした第１式、当該転送時間長平均と転送時間長分散とを変数とした第２式、が互いに対応づけられる部分を複数のアクセス品質評価値のそれぞれについて有するアクセス品質評価値記憶手段を前記アクセス品質評価装置が備え、
前記アクセス品質評価手段は、
前記アクセス品質評価値記憶手段の任意の部分から第１式を読み出し、この第１式の変数に、求められた転送時間長平均と転送時間長分散を代入し、前記アクセス品質評価値記憶手段の当該部分から第２式を読み出し、この第２式の変数に、求められた転送時間長平均と転送時間長分散を代入し、転送時間長平均と転送時間長分散を代入した第１式で示される上限と、転送時間長平均と転送時間長分散を代入した第２式で示される下限との間に、受信された転送時間長情報で示される転送時間長が属するときは、当該部分のアクセス品質評価値を読み出す
ことを特徴とする請求項１０ないし１６のいずれかに記載のアクセス品質評価方法。
【発明の詳細な説明】
【技術分野】
【０００１】
本発明は、１つの転送時間長をアクセスの品質として絶対評価することによる問題の解決を図ったアクセス品質評価装置とアクセス品質評価方法に関するものである。
【背景技術】
【０００２】
従来より、ウェブサーバへのアクセスの品質を評価するものとして、ユーザに使用される端末が、その端末へウェブページの転送時間長を測定し、その転送時間長からウェブサーバへのアクセスの品質を評価するものがある。また、端末で測定した転送時間長のみから、ウェブサーバへのアクセスの品質を評価する手法については特許文献１に掲載されている。
【特許文献１】特開２００４−０７８７１２号公報
【発明の開示】
【発明が解決しようとする課題】
【０００３】
しかし、１つの転送時間長をアクセスの品質として絶対評価することには、いくつかの問題点がある。
【０００４】
一般的に、ウェブサーバはウェブサーバ機能を有する計算機上に構成されるものであり、計算機の資源は有限であるため、資源の大小により、転送時間長が変化する。
【０００５】
また、１つのサーバについても転送時間長が変化する。
【０００６】
例えば、サーバが同一期間にアクセスを受ける回数が多くなり、１回のページの転送に割り当てる処理能力が低下すると、１回のページの転送時間長が長くなる。
【０００７】
また、その端末が他の処理をしていて、ページの受信に割り当てる処理能力が低下していると、１回のページの転送時間長が長くなる。
【０００８】
このようなとき、単に１つの転送時間長をアクセスの品質として絶対評価すると、ユーザは、アクセスの品質の低下の要因が、上記のようなサーバへの同一期間におけるアクセスの回数の増加なのか、その端末で行われている他の処理なのかを判別することができない。
【０００９】
また、サーバがネットワークに接続され、そのネットワークに収容された各アクセス回線に端末が接続されている場合には、ネットワークの帯域が不足しているときと、アクセス回線の帯域が不足しているときの両方で、ページの転送時間長が長くなるが、単に１つの転送時間長をアクセスの品質として絶対評価すると、ユーザは、品質低下の要因が、ネットワークの帯域の不足にあって、他の端末についての品質も同様に低下しているのか、要因がその端末の接続されたアクセス回線の帯域の不足にあって、他の端末では品質が低下していないのかを判別することができない。
【００１０】
また、ページのサイズが大きくなると転送時間長が長くなるが、単に１つの転送時間長をアクセスの品質として絶対評価すると、ユーザは、ページのサイズが大きくて転送時間長が長くなっているので、実際にはアクセスの品質低下がないのに、アクセスの品質が低下していると誤認してしまう。
【００１１】
また、サーバへのアクセスが集中する時間帯になると転送時間長が長くなるが、単に１つの転送時間長をアクセスの品質として絶対評価すると、ユーザは、サーバへのアクセスが集中する時間帯であることが要因でアクセスの品質が低下しているのを、例えば、その端末が他の処理をしてことが要因でアクセスの品質が低下していると誤認してしまう可能性がある。
【００１２】
本発明は、上記の課題に鑑みてなされたものであり、その目的とするところは、１つの転送時間長をアクセスの品質として絶対評価することによる問題の解決を図ったアクセス品質評価装置とアクセス品質評価方法を提供することにある。
【課題を解決するための手段】
【００１３】
上記の課題を解決するために、請求項１の本発明は、端末によりアクセスされたサーバのページが端末に転送されるまでの時間長を転送時間長としたときの複数の転送時間長の総和である転送時間長総和が記憶される転送時間長総和記憶手段と、前記複数の転送時間長のそれぞれを示す転送時間長情報の合計数である転送時間長情報数が記憶される転送時間長情報数記憶手段と、前記複数の転送時間長の２乗の総和である転送時間長２乗総和が記憶される転送時間長２乗総和記憶手段と、ページが転送された端末からそのときの転送時間長情報を受信する転送時間長情報受信手段と、前記転送時間長情報数記憶手段から転送時間長情報数を読み出し、前記転送時間長総和記憶手段から転送時間長総和を読み出し、前記転送時間長２乗総和記憶手段から転送時間長２乗総和を読み出し、これらの情報を用いて、複数の転送時間長の平均である転送時間長平均ならびに当該転送時間長の分散である転送時間長分散を求める統計処理手段と、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得るアクセス品質評価手段と、得られたアクセス品質評価値を前記受信された転送時間長情報の送信元である端末へ送信するアクセス品質値送信手段とを備えることを特徴とするアクセス品質評価装置をもって解決手段とする。
【００１４】
請求項１の本発明は、端末によりアクセスされたサーバのページが端末に転送されるまでの時間長を転送時間長としたときの複数の転送時間長の総和である転送時間長総和が記憶される転送時間長総和記憶手段と、前記複数の転送時間長のそれぞれを示す転送時間長情報の合計数である転送時間長情報数が記憶される転送時間長情報数記憶手段と、前記複数の転送時間長の２乗の総和である転送時間長２乗総和が記憶される転送時間長２乗総和記憶手段と、ページが転送された端末からそのときの転送時間長情報を受信する転送時間長情報受信手段と、前記転送時間長情報数記憶手段から転送時間長情報数を読み出し、前記転送時間長総和記憶手段から転送時間長総和を読み出し、前記転送時間長２乗総和記憶手段から転送時間長２乗総和を読み出し、これらの情報を用いて、複数の転送時間長の平均である転送時間長平均ならびに当該転送時間長の分散である転送時間長分散を求める統計処理手段と、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得るアクセス品質評価手段と、得られたアクセス品質評価値を前記受信された転送時間長情報の送信元である端末へ送信するアクセス品質値送信手段とを備えることを特徴とするアクセス品質評価装置としたことで、端末が転送時間長情報を送信し、送信された品質評価値を表示することにより、ユーザは、相対評価された品質評価値を知ることができ、よって、１つの転送時間長をアクセスの品質として絶対評価するときの問題を解決できる。
【００１５】
請求項２の本発明は、端末によりアクセスされたサーバのページが端末に転送されるまでの時間長を転送時間長としたときの同一のサーバから転送されるページについての複数の転送時間長の総和である転送時間長総和が記憶される部分を複数のサーバのそれぞれについて有する転送時間長総和記憶手段と、前記複数の転送時間長のそれぞれを示す転送時間長情報の合計数である転送時間長情報数が記憶される部分を前記複数のサーバのそれぞれについて有する転送時間長情報数記憶手段と、前記複数の転送時間長の２乗の総和である転送時間長２乗総和が記憶される部分を前記複数のサーバのそれぞれについて有する転送時間長２乗総和記憶手段と、ページが表示された端末からそのときの転送時間長情報を当該ページを転送したサーバのサーバ名とともに受信する転送時間長情報受信手段と、前記転送時間長情報数記憶手段の、受信されたサーバ名で示されるサーバに該当する部分から転送時間長情報数を読み出し、前記転送時間長総和記憶手段の、受信されたサーバ名で示されるサーバに該当する部分から転送時間長総和を読み出し、前記転送時間長２乗総和記憶手段の、受信されたサーバ名で示されるサーバに該当する部分から転送時間長２乗総和を読み出し、これらの情報を用いて、複数の転送時間長の平均である転送時間長平均ならびに当該転送時間長の分散である転送時間長分散を求める統計処理手段と、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得るアクセス品質評価手段と、得られたアクセス品質評価値を前記受信された転送時間長情報の送信元である端末へ送信するアクセス品質値送信手段とを備えることを特徴とするアクセス品質評価装置をもって解決手段とする。
【００１６】
請求項２の本発明は、端末によりアクセスされたサーバのページが端末に転送されるまでの時間長を転送時間長としたときの同一のサーバから転送されるページについての複数の転送時間長の総和である転送時間長総和が記憶される部分を複数のサーバのそれぞれについて有する転送時間長総和記憶手段と、前記複数の転送時間長のそれぞれを示す転送時間長情報の合計数である転送時間長情報数が記憶される部分を前記複数のサーバのそれぞれについて有する転送時間長情報数記憶手段と、前記複数の転送時間長の２乗の総和である転送時間長２乗総和が記憶される部分を前記複数のサーバのそれぞれについて有する転送時間長２乗総和記憶手段と、ページが表示された端末からそのときの転送時間長情報を当該ページを転送したサーバのサーバ名とともに受信する転送時間長情報受信手段と、前記転送時間長情報数記憶手段の、受信されたサーバ名で示されるサーバに該当する部分から転送時間長情報数を読み出し、前記転送時間長総和記憶手段の、受信されたサーバ名で示されるサーバに該当する部分から転送時間長総和を読み出し、前記転送時間長２乗総和記憶手段の、受信されたサーバ名で示されるサーバに該当する部分から転送時間長２乗総和を読み出し、これらの情報を用いて、複数の転送時間長の平均である転送時間長平均ならびに当該転送時間長の分散である転送時間長分散を求める統計処理手段と、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得るアクセス品質評価手段と、得られたアクセス品質評価値を前記受信された転送時間長情報の送信元である端末へ送信するアクセス品質値送信手段とを備えることを特徴とするアクセス品質評価装置としたことで、端末が転送時間長情報とサーバ名を送信し、送信された品質評価値を表示することにより、ユーザは、端末に転送されたページを転送したサーバから転送されるページの中で相対評価された品質評価値を知ることができ、よって、このサーバから転送されるページについての１つの転送時間長をアクセスの品質として絶対評価するときの問題を解決できる。
【００１７】
請求項３の本発明は、端末によりアクセスされたサーバのページが端末に転送されるまでの時間長を転送時間長としたときの同一のページサイズ範囲に属するサイズを有するページについての複数の転送時間長の総和である転送時間長総和が記憶される部分を複数のページサイズ範囲のそれぞれについて有する転送時間長総和記憶手段と、前記複数の転送時間長のそれぞれを示す転送時間長情報の合計数である転送時間長情報数が記憶される部分を前記複数のページサイズ範囲のそれぞれについて有する転送時間長情報数記憶手段と、前記複数の転送時間長の２乗の総和である転送時間長２乗総和が記憶される部分を前記複数のページサイズ範囲のそれぞれについて有する転送時間長２乗総和記憶手段と、ページが転送された端末からそのときの転送時間長情報を当該ページのサイズを示すページサイズ情報とともに受信する転送時間長情報受信手段と、前記転送時間長情報数記憶手段の、受信されたページサイズ情報で示されるサイズの属するページサイズ範囲に該当する部分から転送時間長情報数を読み出し、前記転送時間長総和記憶手段の、受信されたページサイズ情報で示されるサイズの属するページサイズ範囲に該当する部分から転送時間長総和を読み出し、前記転送時間長２乗総和記憶手段の、受信されたページサイズ情報で示されるサイズの属するページサイズ範囲に該当する部分から転送時間長２乗総和を読み出し、これらの情報を用いて、複数の転送時間長の平均である転送時間長平均ならびに当該転送時間長の分散である転送時間長分散を求める統計処理手段と、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得るアクセス品質評価手段と、得られたアクセス品質評価値を前記受信された転送時間長情報の送信元である端末へ送信するアクセス品質値送信手段とを備えることを特徴とするアクセス品質評価装置をもって解決手段とする。
【００１８】
請求項３の本発明は、端末によりアクセスされたサーバのページが端末に転送されるまでの時間長を転送時間長としたときの同一のページサイズ範囲に属するサイズを有するページについての複数の転送時間長の総和である転送時間長総和が記憶される部分を複数のページサイズ範囲のそれぞれについて有する転送時間長総和記憶手段と、前記複数の転送時間長のそれぞれを示す転送時間長情報の合計数である転送時間長情報数が記憶される部分を前記複数のページサイズ範囲のそれぞれについて有する転送時間長情報数記憶手段と、前記複数の転送時間長の２乗の総和である転送時間長２乗総和が記憶される部分を前記複数のページサイズ範囲のそれぞれについて有する転送時間長２乗総和記憶手段と、ページが転送された端末からそのときの転送時間長情報を当該ページのサイズを示すページサイズ情報とともに受信する転送時間長情報受信手段と、前記転送時間長情報数記憶手段の、受信されたページサイズ情報で示されるサイズの属するページサイズ範囲に該当する部分から転送時間長情報数を読み出し、前記転送時間長総和記憶手段の、受信されたページサイズ情報で示されるサイズの属するページサイズ範囲に該当する部分から転送時間長総和を読み出し、前記転送時間長２乗総和記憶手段の、受信されたページサイズ情報で示されるサイズの属するページサイズ範囲に該当する部分から転送時間長２乗総和を読み出し、これらの情報を用いて、複数の転送時間長の平均である転送時間長平均ならびに当該転送時間長の分散である転送時間長分散を求める統計処理手段と、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得るアクセス品質評価手段と、得られたアクセス品質評価値を前記受信された転送時間長情報の送信元である端末へ送信するアクセス品質値送信手段とを備えることを特徴とするアクセス品質評価装置としたことで、端末が転送時間長情報とページサイズ情報を送信し、送信された品質評価値を表示することにより、ユーザは、端末に転送されたページの属するページサイズ範囲に属するサイズを有するページの中で相対評価された品質評価値を知ることができ、よって、ページサイズ範囲に属するサイズを有するページについての１つの転送時間長をアクセスの品質として絶対評価するときの問題を解決できる。
【００１９】
請求項４の本発明は、端末によりアクセスされたサーバのページが端末に転送されるまでの時間長を転送時間長としたときに同一の受信時刻範囲に属する受信時刻に転送時間長を示す転送時刻情報が受信された複数の転送時間長の総和である転送時間長総和が記憶される部分を複数の受信時刻範囲のそれぞれについて有する転送時間長総和記憶手段と、前記複数の転送時間長のそれぞれを示す転送時間長情報の合計数である転送時間長情報数が記憶される部分を前記複数の受信時刻範囲のそれぞれについて有する転送時間長情報数記憶手段と、前記複数の転送時間長の２乗の総和である転送時間長２乗総和が記憶される部分を前記複数の受信時刻範囲のそれぞれについて有する転送時間長２乗総和記憶手段と、ページが転送された端末からそのときの転送時間長情報を受信する転送時間長情報受信手段と、前記転送時間長情報数記憶手段の、受信された転送時刻情報の受信時刻の属する受信時刻範囲に該当する部分から転送時間長情報数を読み出し、前記転送時間長総和記憶手段の、受信された転送時刻情報の受信時刻の属する受信時刻範囲に該当する部分から転送時間長総和を読み出し、前記転送時間長２乗総和記憶手段の、当該受信時刻の属する受信時刻範囲に該当する部分から転送時間長２乗総和を読み出し、これらの情報を用いて、複数の転送時間長の平均である転送時間長平均ならびに当該転送時間長の分散である転送時間長分散を求める統計処理手段と、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得るアクセス品質評価手段と、得られたアクセス品質評価値を前記受信された転送時間長情報の送信元である端末へ送信するアクセス品質値送信手段とを備えることを特徴とするアクセス品質評価装置をもって解決手段とする。
【００２０】
請求項４の本発明は、端末によりアクセスされたサーバのページが端末に転送されるまでの時間長を転送時間長としたときに同一の受信時刻範囲に属する受信時刻に転送時間長を示す転送時刻情報が受信された複数の転送時間長の総和である転送時間長総和が記憶される部分を複数の受信時刻範囲のそれぞれについて有する転送時間長総和記憶手段と、前記複数の転送時間長のそれぞれを示す転送時間長情報の合計数である転送時間長情報数が記憶される部分を前記複数の受信時刻範囲のそれぞれについて有する転送時間長情報数記憶手段と、前記複数の転送時間長の２乗の総和である転送時間長２乗総和が記憶される部分を前記複数の受信時刻範囲のそれぞれについて有する転送時間長２乗総和記憶手段と、ページが転送された端末からそのときの転送時間長情報を受信する転送時間長情報受信手段と、前記転送時間長情報数記憶手段の、受信された転送時刻情報の受信時刻の属する受信時刻範囲に該当する部分から転送時間長情報数を読み出し、前記転送時間長総和記憶手段の、受信された転送時刻情報の受信時刻の属する受信時刻範囲に該当する部分から転送時間長総和を読み出し、前記転送時間長２乗総和記憶手段の、当該受信時刻の属する受信時刻範囲に該当する部分から転送時間長２乗総和を読み出し、これらの情報を用いて、複数の転送時間長の平均である転送時間長平均ならびに当該転送時間長の分散である転送時間長分散を求める統計処理手段と、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得るアクセス品質評価手段と、得られたアクセス品質評価値を前記受信された転送時間長情報の送信元である端末へ送信するアクセス品質値送信手段とを備えることを特徴とするアクセス品質評価装置としたことで、端末が転送時間長情報を送信し、送信された品質評価値を表示することにより、ユーザは、転送時間長情報の受信時刻の属する受信時刻範囲に属する受信時刻に転送時間長情報が受信されたページの中で相対評価された品質評価値を知ることができ、よって、この受信時刻範囲に属する受信時刻に転送時間長情報が受信された１つの転送時間長をアクセスの品質として絶対評価するときの問題を解決できる。
【００２１】
請求項５の本発明は、端末によりアクセスされたサーバのページが端末に転送されるまでの時間長を転送時間長としたときに同一の受信時刻範囲に属する受信時刻に転送時間長を示す転送時刻情報が受信された複数の転送時間長の総和である転送時間長総和が記憶される部分を複数の受信時刻範囲のそれぞれについて有する転送時間長総和記憶手段と、前記複数の転送時間長のそれぞれを示す転送時間長情報の合計数である転送時間長情報数が記憶される部分を前記複数の受信時刻範囲のそれぞれについて有する転送時間長情報数記憶手段と、前記複数の転送時間長の２乗の総和である転送時間長２乗総和が記憶される部分を前記複数の受信時刻範囲のそれぞれについて有する転送時間長２乗総和記憶手段と、ページが転送された端末からそのときの転送時間長情報を受信する転送時間長情報受信手段と、前記転送時間長情報数記憶手段の、受信された転送時刻情報の受信時刻の属する受信時刻範囲に該当する部分から転送時間長情報数を読み出し、この転送時間長情報数が所定数に満たないときは、前記転送時間長情報数記憶手段の、２以上の受信時刻範囲に該当する部分に記憶された転送時間長情報数の合計を転送時間長情報数とし、前記転送時間長総和記憶手段の、当該２以上の受信時刻範囲に該当する部分に記憶された転送時間長総和の合計を転送時間長総和とし、前記転送時間長２乗総和記憶手段の、当該２以上の受信時刻範囲に該当する部分に記憶された転送時間長２乗総和の合計を転送時間長２乗総和とし、これらの情報を用いて、複数の転送時間長の平均である転送時間長平均ならびに当該転送時間長の分散である転送時間長分散を求める統計処理手段と、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得るアクセス品質評価手段と、得られたアクセス品質評価値を前記受信された転送時間長情報の送信元である端末へ送信するアクセス品質値送信手段とを備えることを特徴とするアクセス品質評価装置をもって解決手段とする。
【００２２】
請求項５の本発明は、端末によりアクセスされたサーバのページが端末に転送されるまでの時間長を転送時間長としたときに同一の受信時刻範囲に属する受信時刻に転送時間長を示す転送時刻情報が受信された複数の転送時間長の総和である転送時間長総和が記憶される部分を複数の受信時刻範囲のそれぞれについて有する転送時間長総和記憶手段と、前記複数の転送時間長のそれぞれを示す転送時間長情報の合計数である転送時間長情報数が記憶される部分を前記複数の受信時刻範囲のそれぞれについて有する転送時間長情報数記憶手段と、前記複数の転送時間長の２乗の総和である転送時間長２乗総和が記憶される部分を前記複数の受信時刻範囲のそれぞれについて有する転送時間長２乗総和記憶手段と、ページが転送された端末からそのときの転送時間長情報を受信する転送時間長情報受信手段と、前記転送時間長情報数記憶手段の、受信された転送時刻情報の受信時刻の属する受信時刻範囲に該当する部分から転送時間長情報数を読み出し、この転送時間長情報数が所定数に満たないときは、前記転送時間長情報数記憶手段の、２以上の受信時刻範囲に該当する部分に記憶された転送時間長情報数の合計を転送時間長情報数とし、前記転送時間長総和記憶手段の、当該２以上の受信時刻範囲に該当する部分に記憶された転送時間長総和の合計を転送時間長総和とし、前記転送時間長２乗総和記憶手段の、当該２以上の受信時刻範囲に該当する部分に記憶された転送時間長２乗総和の合計を転送時間長２乗総和とし、これらの情報を用いて、複数の転送時間長の平均である転送時間長平均ならびに当該転送時間長の分散である転送時間長分散を求める統計処理手段と、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得るアクセス品質評価手段と、得られたアクセス品質評価値を前記受信された転送時間長情報の送信元である端末へ送信するアクセス品質値送信手段とを備えることを特徴とするアクセス品質評価装置としたことで、端末が転送時間長情報を送信し、送信された品質評価値を表示することにより、ユーザは、多くの転送時間長情報から得られた信頼性の高い、相対評価された品質評価値を知ることができ、よって、１つの転送時間長をアクセスの品質として絶対評価するときの問題を解決できる。
【００２３】
請求項６の本発明は、端末によりアクセスされたサーバのページが端末に転送されるまでの時間長を転送時間長としたときの同一のページサイズ範囲に属するサイズを有するページについての複数の転送時間長の総和である転送時間長総和が記憶される部分を複数のページサイズ範囲のそれぞれについて有する転送時間長総和記憶手段と、前記複数の転送時間長のそれぞれを示す転送時間長情報の合計数である転送時間長情報数が記憶される部分を前記複数のページサイズ範囲のそれぞれについて有する転送時間長情報数記憶手段と、前記複数の転送時間長の２乗の総和である転送時間長２乗総和が記憶される部分を前記複数のページサイズ範囲のそれぞれについて有する転送時間長２乗総和記憶手段と、ページが転送された端末からそのときの転送時間長情報を当該ページのサイズを示すページサイズ情報とともに受信する転送時間長情報受信手段と、前記転送時間長情報数記憶手段の、受信されたページサイズ情報で示されるサイズの属するページサイズ範囲に該当する部分から転送時間長情報数を読み出し、この転送時間長情報数が所定数に満たないときは、前記転送時間長情報数記憶手段の、２以上のページサイズ範囲に該当する部分に記憶された転送時間長情報数の合計を転送時間長情報数とし、前記転送時間長総和記憶手段の、当該２以上のページサイズ範囲に該当する部分に記憶された転送時間長総和の合計を転送時間長総和とし、前記転送時間長２乗総和記憶手段の、当該２以上のページサイズ範囲に該当する部分に記憶された転送時間長２乗総和の合計を転送時間長２乗総和とし、これらの情報を用いて、複数の転送時間長の平均である転送時間長平均ならびに当該転送時間長の分散である転送時間長分散を求める統計処理手段と、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得るアクセス品質評価手段と、得られたアクセス品質評価値を前記受信された転送時間長情報の送信元である端末へ送信するアクセス品質値送信手段とを備えることを特徴とするアクセス品質評価装置をもって解決手段とする。
【００２４】
請求項６の本発明は、端末によりアクセスされたサーバのページが端末に転送されるまでの時間長を転送時間長としたときの同一のページサイズ範囲に属するサイズを有するページについての複数の転送時間長の総和である転送時間長総和が記憶される部分を複数のページサイズ範囲のそれぞれについて有する転送時間長総和記憶手段と、前記複数の転送時間長のそれぞれを示す転送時間長情報の合計数である転送時間長情報数が記憶される部分を前記複数のページサイズ範囲のそれぞれについて有する転送時間長情報数記憶手段と、前記複数の転送時間長の２乗の総和である転送時間長２乗総和が記憶される部分を前記複数のページサイズ範囲のそれぞれについて有する転送時間長２乗総和記憶手段と、ページが転送された端末からそのときの転送時間長情報を当該ページのサイズを示すページサイズ情報とともに受信する転送時間長情報受信手段と、前記転送時間長情報数記憶手段の、受信されたページサイズ情報で示されるサイズの属するページサイズ範囲に該当する部分から転送時間長情報数を読み出し、この転送時間長情報数が所定数に満たないときは、前記転送時間長情報数記憶手段の、２以上のページサイズ範囲に該当する部分に記憶された転送時間長情報数の合計を転送時間長情報数とし、前記転送時間長総和記憶手段の、当該２以上のページサイズ範囲に該当する部分に記憶された転送時間長総和の合計を転送時間長総和とし、前記転送時間長２乗総和記憶手段の、当該２以上のページサイズ範囲に該当する部分に記憶された転送時間長２乗総和の合計を転送時間長２乗総和とし、これらの情報を用いて、複数の転送時間長の平均である転送時間長平均ならびに当該転送時間長の分散である転送時間長分散を求める統計処理手段と、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得るアクセス品質評価手段と、得られたアクセス品質評価値を前記受信された転送時間長情報の送信元である端末へ送信するアクセス品質値送信手段とを備えることを特徴とするアクセス品質評価装置としたことで、端末が転送時間長情報を送信し、送信された品質評価値を表示することにより、ユーザは、多くの転送時間長情報から得られた信頼性の高い、相対評価された品質評価値を知ることができ、よって、１つの転送時間長をアクセスの品質として絶対評価するときの問題を解決できる。
【００２５】
請求項７の本発明は、端末によりアクセスされたサーバのページが端末に転送されるまでの時間長を転送時間長としたときの複数の転送時間長の総和である転送時間長総和が記憶される転送時間長総和記憶手段と、この転送時間長総和記憶手段に記憶された転送時間長総和が移し替えられて記憶される第２転送時間長総和記憶手段と、前記複数の転送時間長のそれぞれを示す転送時間長情報の合計数である転送時間長情報数が記憶される転送時間長情報数記憶手段と、この転送時間長情報数記憶手段に記憶された転送時間長情報数が移し替えられて記憶される第２転送時間長情報数記憶手段と、前記複数の転送時間長の２乗の総和である転送時間長２乗総和が記憶される転送時間長２乗総和記憶手段と、この転送時間長２乗総和記憶手段に記憶された転送時間長２乗総和が移し替えられて記憶される第２転送時間長２乗総和記憶手段と、転送時間長総和記憶手段に記憶された転送時間長総和を所定の時刻に第２転送時間長総和記憶手段に移し替えて記憶させ、転送時間長情報数記憶手段に記憶された転送時間長情報数を所定の時刻に第２転送時間長情報数記憶手段に移し替えて記憶させ、転送時間長２乗総和記憶手段に記憶された転送時間長２乗総和を所定の時刻に第２転送時間長総和記憶手段に移し替えて記憶させる情報転送手段と、ページが転送された端末からそのときの転送時間長情報を受信する転送時間長情報受信手段と、転送時間長情報が受信されたとき、転送時間長総和記憶手段から転送時間長総和を読み出し、受信された転送時間長情報で示される転送時間長を加算して、転送時間長総和記憶手段に記憶させ、転送時間長情報数記憶手段に記憶された転送時間長情報数を読み出し、１を加算して、転送時間長情報数記憶手段に記憶させ、転送時間長２乗総和記憶手段から転送時間長２乗総和を読み出し、受信された転送時間長情報で示される転送時間長の２乗を加算して、転送時間長２乗総和記憶手段に記憶させる更新手段と、転送時間長情報が受信されたとき、更新手段の処理の終了を待たずに、前記第２転送時間長情報数記憶手段から転送時間長情報数を読み出し、前記第２転送時間長総和記憶手段から転送時間長総和を読み出し、前記第２転送時間長２乗総和記憶手段から転送時間長２乗総和を読み出し、これらの情報を用いて、複数の転送時間長の平均である転送時間長平均ならびに当該転送時間長の分散である転送時間長分散を求める統計処理手段と、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得るアクセス品質評価手段と、得られたアクセス品質評価値を前記受信された転送時間長情報の送信元である端末へ送信するアクセス品質値送信手段とを備えることを特徴とするアクセス品質評価装置をもって解決手段とする。
【００２６】
請求項７の本発明は、端末によりアクセスされたサーバのページが端末に転送されるまでの時間長を転送時間長としたときの複数の転送時間長の総和である転送時間長総和が記憶される転送時間長総和記憶手段と、この転送時間長総和記憶手段に記憶された転送時間長総和が移し替えられて記憶される第２転送時間長総和記憶手段と、前記複数の転送時間長のそれぞれを示す転送時間長情報の合計数である転送時間長情報数が記憶される転送時間長情報数記憶手段と、この転送時間長情報数記憶手段に記憶された転送時間長情報数が移し替えられて記憶される第２転送時間長情報数記憶手段と、前記複数の転送時間長の２乗の総和である転送時間長２乗総和が記憶される転送時間長２乗総和記憶手段と、この転送時間長２乗総和記憶手段に記憶された転送時間長２乗総和が移し替えられて記憶される第２転送時間長２乗総和記憶手段と、転送時間長総和記憶手段に記憶された転送時間長総和を所定の時刻に第２転送時間長総和記憶手段に移し替えて記憶させ、転送時間長情報数記憶手段に記憶された転送時間長情報数を所定の時刻に第２転送時間長情報数記憶手段に移し替えて記憶させ、転送時間長２乗総和記憶手段に記憶された転送時間長２乗総和を所定の時刻に第２転送時間長総和記憶手段に移し替えて記憶させる情報転送手段と、ページが転送された端末からそのときの転送時間長情報を受信する転送時間長情報受信手段と、転送時間長情報が受信されたとき、転送時間長総和記憶手段から転送時間長総和を読み出し、受信された転送時間長情報で示される転送時間長を加算して、転送時間長総和記憶手段に記憶させ、転送時間長情報数記憶手段に記憶された転送時間長情報数を読み出し、１を加算して、転送時間長情報数記憶手段に記憶させ、転送時間長２乗総和記憶手段から転送時間長２乗総和を読み出し、受信された転送時間長情報で示される転送時間長の２乗を加算して、転送時間長２乗総和記憶手段に記憶させる更新手段と、転送時間長情報が受信されたとき、更新手段の処理の終了を待たずに、前記第２転送時間長情報数記憶手段から転送時間長情報数を読み出し、前記第２転送時間長総和記憶手段から転送時間長総和を読み出し、前記第２転送時間長２乗総和記憶手段から転送時間長２乗総和を読み出し、これらの情報を用いて、複数の転送時間長の平均である転送時間長平均ならびに当該転送時間長の分散である転送時間長分散を求める統計処理手段と、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得るアクセス品質評価手段と、得られたアクセス品質評価値を前記受信された転送時間長情報の送信元である端末へ送信するアクセス品質値送信手段とを備えることを特徴とするアクセス品質評価装置としたことで、端末が転送時間長情報を送信し、送信された品質評価値を表示することにより、ユーザは、相対評価された品質評価値を早期に知ることができ、よって、１つの転送時間長をアクセスの品質として絶対評価するときの問題を解決できる。
【００２７】
請求項８の本発明は、前記アクセス品質評価手段は、アクセス品質評価値を
【数３】
2006227937.tif 000003
【００２８】
により算出することを特徴とする請求項１ないし７のいずれかに記載のアクセス品質評価装置をもって解決手段とする。
【００２９】
請求項８の本発明は、前記アクセス品質評価手段は、アクセス品質評価値を、当該式により算出することで、アクセス品質評価値を得るようにしている。
【００３０】
請求項９の本発明は、所定のアクセス品質評価値、転送時間長平均と転送時間長分散とを変数とした第１式、当該転送時間長平均と転送時間長分散とを変数とした第２式、が互いに対応づけられる部分を複数のアクセス品質評価値のそれぞれについて有するアクセス品質評価値記憶手段を備え、前記アクセス品質評価手段は、前記アクセス品質評価値記憶手段の任意の部分から第１式を読み出し、この第１式の変数に、求められた転送時間長平均と転送時間長分散を代入し、前記アクセス品質評価値記憶手段の当該部分から第２式を読み出し、この第２式の変数に、求められた転送時間長平均と転送時間長分散を代入し、転送時間長平均と転送時間長分散を代入した第１式で示される上限と、転送時間長平均と転送時間長分散を代入した第２式で示される下限との間に、受信された転送時間長情報で示される転送時間長が属するときは、当該部分のアクセス品質評価値を読み出すことを特徴とする請求項１ないし７のいずれかに記載のアクセス品質評価装置をもって解決手段とする。
【００３１】
請求項９の本発明は、所定のアクセス品質評価値、転送時間長平均と転送時間長分散とを変数とした第１式、当該転送時間長平均と転送時間長分散とを変数とした第２式、が互いに対応づけられる部分を複数のアクセス品質評価値のそれぞれについて有するアクセス品質評価値記憶手段を備え、前記アクセス品質評価手段は、前記アクセス品質評価値記憶手段の任意の部分から第１式を読み出し、この第１式の変数に、求められた転送時間長平均と転送時間長分散を代入し、前記アクセス品質評価値記憶手段の当該部分から第２式を読み出し、この第２式の変数に、求められた転送時間長平均と転送時間長分散を代入し、転送時間長平均と転送時間長分散を代入した第１式で示される上限と、転送時間長平均と転送時間長分散を代入した第２式で示される下限との間に、受信された転送時間長情報で示される転送時間長が属するときは、当該部分のアクセス品質評価値を読み出すことで、アクセス品質評価値を得るようにしている。
【００３２】
請求項１０の本発明は、端末によりアクセスされたサーバのページが端末に転送されるまでの時間長を転送時間長としたときの複数の転送時間長の総和である転送時間長総和が記憶される転送時間長総和記憶手段を備えるアクセス品質評価装置の統計処理手段が転送時間長総和を算出して転送時間長総和記憶手段に記憶させ、前記複数の転送時間長のそれぞれを示す転送時間長情報の合計数である転送時間長情報数が記憶される転送時間長情報数記憶手段を備える前記アクセス品質評価装置の前記統計処理手段が転送時間長情報数を算出して転送時間長情報数記憶手段に記憶させ、前記複数の転送時間長の２乗の総和である転送時間長２乗総和が記憶される転送時間長２乗総和記憶手段を備える前記アクセス品質評価装置の前記統計処理手段が転送時間長２乗総和を算出して転送時間長２乗総和記憶手段に記憶させ、前記アクセス品質評価装置の転送時間長情報受信手段が、ページが転送された端末からそのときの転送時間長情報を受信し、前記統計処理手段が、前記転送時間長情報数記憶手段から転送時間長情報数を読み出し、前記転送時間長総和記憶手段から転送時間長総和を読み出し、前記転送時間長２乗総和記憶手段から転送時間長２乗総和を読み出し、これらの情報を用いて、複数の転送時間長の平均である転送時間長平均ならびに当該転送時間長の分散である転送時間長分散を求め、前記アクセス品質評価装置のアクセス品質評価手段が、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得て、前記アクセス品質評価装置のアクセス品質値送信手段が、得られたアクセス品質評価値を前記受信された転送時間長情報の送信元である端末へ送信することを特徴とするアクセス品質評価方法をもって解決手段とする。
【００３３】
請求項１０の本発明は、端末によりアクセスされたサーバのページが端末に転送されるまでの時間長を転送時間長としたときの複数の転送時間長の総和である転送時間長総和が記憶される転送時間長総和記憶手段を備えるアクセス品質評価装置の統計処理手段が転送時間長総和を算出して転送時間長総和記憶手段に記憶させ、前記複数の転送時間長のそれぞれを示す転送時間長情報の合計数である転送時間長情報数が記憶される転送時間長情報数記憶手段を備える前記アクセス品質評価装置の前記統計処理手段が転送時間長情報数を算出して転送時間長情報数記憶手段に記憶させ、前記複数の転送時間長の２乗の総和である転送時間長２乗総和が記憶される転送時間長２乗総和記憶手段を備える前記アクセス品質評価装置の前記統計処理手段が転送時間長２乗総和を算出して転送時間長２乗総和記憶手段に記憶させ、前記アクセス品質評価装置の転送時間長情報受信手段が、ページが転送された端末からそのときの転送時間長情報を受信し、前記統計処理手段が、前記転送時間長情報数記憶手段から転送時間長情報数を読み出し、前記転送時間長総和記憶手段から転送時間長総和を読み出し、前記転送時間長２乗総和記憶手段から転送時間長２乗総和を読み出し、これらの情報を用いて、複数の転送時間長の平均である転送時間長平均ならびに当該転送時間長の分散である転送時間長分散を求め、前記アクセス品質評価装置のアクセス品質評価手段が、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得て、前記アクセス品質評価装置のアクセス品質値送信手段が、得られたアクセス品質評価値を前記受信された転送時間長情報の送信元である端末へ送信することを特徴とするアクセス品質評価方法としたことで、端末が転送時間長情報を送信し、送信された品質評価値を表示することにより、ユーザは、品質評価値を知ることができ、よって、１つの転送時間長をアクセスの品質として絶対評価するときの問題を解決できる。
【００３４】
請求項１１の本発明は、端末によりアクセスされたサーバのページが端末に転送されるまでの時間長を転送時間長としたときの同一のサーバから転送されるページについての複数の転送時間長の総和である転送時間長総和が記憶される部分を複数のサーバのそれぞれについて有する転送時間長総和記憶手段を備えるアクセス品質評価装置の統計処理手段が転送時間長総和を算出して転送時間長総和記憶手段に記憶させ、前記複数の転送時間長のそれぞれを示す転送時間長情報の合計数である転送時間長情報数が記憶される部分を前記複数のサーバのそれぞれについて有する転送時間長情報数記憶手段を備えるアクセス品質評価装置の統計処理手段が転送時間長情報数を算出して転送時間長情報数記憶手段に記憶させ、前記複数の転送時間長の２乗の総和である転送時間長２乗総和が記憶される部分を前記複数のサーバのそれぞれについて有する転送時間長２乗総和記憶手段を備えるアクセス品質評価装置の統計処理手段が転送時間長２乗総和を算出して転送時間長２乗総和記憶手段に記憶させ、前記アクセス品質評価装置の転送時間長情報受信手段が、ページが転送された端末からそのときの転送時間長情報を当該ページを転送したサーバのサーバ名とともに受信し、前記統計処理手段が、前記転送時間長情報数記憶手段の、受信されたサーバ名で示されるサーバに該当する部分から転送時間長情報数を読み出し、前記転送時間長総和記憶手段の、受信されたサーバ名で示されるサーバに該当する部分から転送時間長総和を読み出し、前記転送時間長２乗総和記憶手段の、受信されたサーバ名で示されるサーバに該当する部分から転送時間長２乗総和を読み出し、これらの情報を用いて、複数の転送時間長の平均である転送時間長平均ならびに当該転送時間長の分散である転送時間長分散を求め、前記アクセス品質評価装置のアクセス品質評価手段が、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得て、前記アクセス品質評価装置のアクセス品質値送信手段が、得られたアクセス品質評価値を前記受信された転送時間長情報の送信元である端末へ送信することを特徴とするアクセス品質評価方法をもって解決手段とする。
【００３５】
請求項１１の本発明は、端末によりアクセスされたサーバのページが端末に転送されるまでの時間長を転送時間長としたときの同一のサーバから転送されるページについての複数の転送時間長の総和である転送時間長総和が記憶される部分を複数のサーバのそれぞれについて有する転送時間長総和記憶手段を備えるアクセス品質評価装置の統計処理手段が転送時間長総和を算出して転送時間長総和記憶手段に記憶させ、前記複数の転送時間長のそれぞれを示す転送時間長情報の合計数である転送時間長情報数が記憶される部分を前記複数のサーバのそれぞれについて有する転送時間長情報数記憶手段を備えるアクセス品質評価装置の統計処理手段が転送時間長情報数を算出して転送時間長情報数記憶手段に記憶させ、前記複数の転送時間長の２乗の総和である転送時間長２乗総和が記憶される部分を前記複数のサーバのそれぞれについて有する転送時間長２乗総和記憶手段を備えるアクセス品質評価装置の統計処理手段が転送時間長２乗総和を算出して転送時間長２乗総和記憶手段に記憶させ、前記アクセス品質評価装置の転送時間長情報受信手段が、ページが転送された端末からそのときの転送時間長情報を当該ページを転送したサーバのサーバ名とともに受信し、前記統計処理手段が、前記転送時間長情報数記憶手段の、受信されたサーバ名で示されるサーバに該当する部分から転送時間長情報数を読み出し、前記転送時間長総和記憶手段の、受信されたサーバ名で示されるサーバに該当する部分から転送時間長総和を読み出し、前記転送時間長２乗総和記憶手段の、受信されたサーバ名で示されるサーバに該当する部分から転送時間長２乗総和を読み出し、これらの情報を用いて、複数の転送時間長の平均である転送時間長平均ならびに当該転送時間長の分散である転送時間長分散を求め、前記アクセス品質評価装置のアクセス品質評価手段が、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得て、前記アクセス品質評価装置のアクセス品質値送信手段が、得られたアクセス品質評価値を前記受信された転送時間長情報の送信元である端末へ送信することを特徴とするアクセス品質評価方法としたことで、端末が転送時間長情報とサーバ名を送信し、送信された品質評価値を表示することにより、ユーザは、端末に転送されたページを転送したサーバから転送されるページの中で相対評価された品質評価値を知ることができ、よって、このサーバから転送されるページについての１つの転送時間長をアクセスの品質として絶対評価するときの問題を解決できる。
【００３６】
請求項１２の本発明は、端末によりアクセスされたサーバのページが端末に転送されるまでの時間長を転送時間長としたときの同一のページサイズ範囲に属するサイズを有するページについての複数の転送時間長の総和である転送時間長総和が記憶される部分を複数のページサイズ範囲のそれぞれについて有する転送時間長総和記憶手段を備えるアクセス品質評価装置の統計処理手段が転送時間長総和を算出して転送時間長総和記憶手段に記憶させ、前記複数の転送時間長のそれぞれを示す転送時間長情報の合計数である転送時間長情報数が記憶される部分を前記複数のページサイズ範囲のそれぞれについて有する転送時間長情報数記憶手段を備える前記アクセス品質評価装置の前記統計処理手段が転送時間長情報数を算出して転送時間長情報数記憶手段に記憶させ、前記複数の転送時間長の２乗の総和である転送時間長２乗総和が記憶される部分を前記複数のページサイズ範囲のそれぞれについて有する転送時間長２乗総和記憶手段を備える前記アクセス品質評価装置の前記統計処理手段が転送時間長２乗総和を算出して転送時間長２乗総和記憶手段に記憶させ、前記アクセス品質評価装置の転送時間長情報受信手段が、ページが転送された端末からそのときの転送時間長情報を当該ページのサイズを示すページサイズ情報とともに受信し、前記統計処理手段が、前記転送時間長情報数記憶手段の、受信されたページサイズ情報で示されるサイズの属するページサイズ範囲に該当する部分から転送時間長情報数を読み出し、前記転送時間長総和記憶手段の、受信されたページサイズ情報で示されるサイズの属するページサイズ範囲に該当する部分から転送時間長総和を読み出し、前記転送時間長２乗総和記憶手段の、受信されたページサイズ情報で示されるサイズの属するページサイズ範囲に該当する部分から転送時間長２乗総和を読み出し、これらの情報を用いて、複数の転送時間長の平均である転送時間長平均ならびに当該転送時間長の分散である転送時間長分散を求め、前記アクセス品質評価装置のアクセス品質評価手段が、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得て、前記アクセス品質評価装置のアクセス品質値送信手段が、得られたアクセス品質評価値を前記受信された転送時間長情報の送信元である端末へ送信することを特徴とするアクセス品質評価方法をもって解決手段とする。
【００３７】
請求項１２の本発明は、端末によりアクセスされたサーバのページが端末に転送されるまでの時間長を転送時間長としたときの同一のページサイズ範囲に属するサイズを有するページについての複数の転送時間長の総和である転送時間長総和が記憶される部分を複数のページサイズ範囲のそれぞれについて有する転送時間長総和記憶手段を備えるアクセス品質評価装置の統計処理手段が転送時間長総和を算出して転送時間長総和記憶手段に記憶させ、前記複数の転送時間長のそれぞれを示す転送時間長情報の合計数である転送時間長情報数が記憶される部分を前記複数のページサイズ範囲のそれぞれについて有する転送時間長情報数記憶手段を備える前記アクセス品質評価装置の前記統計処理手段が転送時間長情報数を算出して転送時間長情報数記憶手段に記憶させ、前記複数の転送時間長の２乗の総和である転送時間長２乗総和が記憶される部分を前記複数のページサイズ範囲のそれぞれについて有する転送時間長２乗総和記憶手段を備える前記アクセス品質評価装置の前記統計処理手段が転送時間長２乗総和を算出して転送時間長２乗総和記憶手段に記憶させ、前記アクセス品質評価装置の転送時間長情報受信手段が、ページが転送された端末からそのときの転送時間長情報を当該ページのサイズを示すページサイズ情報とともに受信し、前記統計処理手段が、前記転送時間長情報数記憶手段の、受信されたページサイズ情報で示されるサイズの属するページサイズ範囲に該当する部分から転送時間長情報数を読み出し、前記転送時間長総和記憶手段の、受信されたページサイズ情報で示されるサイズの属するページサイズ範囲に該当する部分から転送時間長総和を読み出し、前記転送時間長２乗総和記憶手段の、受信されたページサイズ情報で示されるサイズの属するページサイズ範囲に該当する部分から転送時間長２乗総和を読み出し、これらの情報を用いて、複数の転送時間長の平均である転送時間長平均ならびに当該転送時間長の分散である転送時間長分散を求め、前記アクセス品質評価装置のアクセス品質評価手段が、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得て、前記アクセス品質評価装置のアクセス品質値送信手段が、得られたアクセス品質評価値を前記受信された転送時間長情報の送信元である端末へ送信することを特徴とするアクセス品質評価方法としたことで、端末が転送時間長情報とページサイズ情報を送信し、送信された品質評価値を表示することにより、ユーザは、端末に転送されたページの属するページサイズ範囲に属するサイズを有するページの中で相対評価された品質評価値を知ることができ、よって、ページサイズ範囲に属するサイズを有するページについての１つの転送時間長をアクセスの品質として絶対評価するときの問題を解決できる。
【００３８】
請求項１３の本発明は、端末によりアクセスされたサーバのページが端末に転送されるまでの時間長を転送時間長としたときに同一の受信時刻範囲に属する受信時刻に転送時間長を示す転送時刻情報が受信された複数の転送時間長の総和である転送時間長総和が記憶される部分を複数の受信時刻範囲のそれぞれについて有する転送時間長総和記憶手段を備えるアクセス品質評価装置の統計処理手段が転送時間長総和を算出して転送時間長総和記憶手段に記憶させ、前記複数の転送時間長のそれぞれを示す転送時間長情報の合計数である転送時間長情報数が記憶される部分を前記複数の受信時刻範囲のそれぞれについて有する転送時間長情報数記憶手段を備える前記アクセス品質評価装置の前記統計処理手段が転送時間長情報数を算出して転送時間長情報数記憶手段に記憶させ、前記複数の転送時間長の２乗の総和である転送時間長２乗総和が記憶される部分を前記複数の受信時刻範囲のそれぞれについて有する転送時間長２乗総和記憶手段を備える前記アクセス品質評価装置の前記統計処理手段が転送時間長２乗総和を算出して転送時間長２乗総和記憶手段に記憶させ、前記アクセス品質評価装置の転送時間長情報受信手段が、ページが転送された端末からそのときの転送時間長情報を受信し、前記統計処理手段が、前記転送時間長情報数記憶手段の、受信された転送時刻情報の受信時刻の属する受信時刻範囲に該当する部分から転送時間長情報数を読み出し、前記転送時間長総和記憶手段の、受信された転送時刻情報の受信時刻の属する受信時刻範囲に該当する部分から転送時間長総和を読み出し、前記転送時間長２乗総和記憶手段の、当該受信時刻の属する受信時刻範囲に該当する部分から転送時間長２乗総和を読み出し、これらの情報を用いて、複数の転送時間長の平均である転送時間長平均ならびに当該転送時間長の分散である転送時間長分散を求め、前記アクセス品質評価装置のアクセス品質評価手段が、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得て、前記アクセス品質評価装置のアクセス品質値送信手段が、得られたアクセス品質評価値を前記受信された転送時間長情報の送信元である端末へ送信することを特徴とするアクセス品質評価方法をもって解決手段とする。
【００３９】
請求項１３の本発明は、端末によりアクセスされたサーバのページが端末に転送されるまでの時間長を転送時間長としたときに同一の受信時刻範囲に属する受信時刻に転送時間長を示す転送時刻情報が受信された複数の転送時間長の総和である転送時間長総和が記憶される部分を複数の受信時刻範囲のそれぞれについて有する転送時間長総和記憶手段を備えるアクセス品質評価装置の統計処理手段が転送時間長総和を算出して転送時間長総和記憶手段に記憶させ、前記複数の転送時間長のそれぞれを示す転送時間長情報の合計数である転送時間長情報数が記憶される部分を前記複数の受信時刻範囲のそれぞれについて有する転送時間長情報数記憶手段を備える前記アクセス品質評価装置の前記統計処理手段が転送時間長情報数を算出して転送時間長情報数記憶手段に記憶させ、前記複数の転送時間長の２乗の総和である転送時間長２乗総和が記憶される部分を前記複数の受信時刻範囲のそれぞれについて有する転送時間長２乗総和記憶手段を備える前記アクセス品質評価装置の前記統計処理手段が転送時間長２乗総和を算出して転送時間長２乗総和記憶手段に記憶させ、前記アクセス品質評価装置の転送時間長情報受信手段が、ページが転送された端末からそのときの転送時間長情報を受信し、前記統計処理手段が、前記転送時間長情報数記憶手段の、受信された転送時刻情報の受信時刻の属する受信時刻範囲に該当する部分から転送時間長情報数を読み出し、前記転送時間長総和記憶手段の、受信された転送時刻情報の受信時刻の属する受信時刻範囲に該当する部分から転送時間長総和を読み出し、前記転送時間長２乗総和記憶手段の、当該受信時刻の属する受信時刻範囲に該当する部分から転送時間長２乗総和を読み出し、これらの情報を用いて、複数の転送時間長の平均である転送時間長平均ならびに当該転送時間長の分散である転送時間長分散を求め、前記アクセス品質評価装置のアクセス品質評価手段が、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得て、前記アクセス品質評価装置のアクセス品質値送信手段が、得られたアクセス品質評価値を前記受信された転送時間長情報の送信元である端末へ送信することを特徴とするアクセス品質評価方法としたことで、端末が転送時間長情報を送信し、送信された品質評価値を表示することにより、ユーザは、転送時間長情報の受信時刻の属する受信時刻範囲に属する受信時刻に転送時間長情報が受信されたページの中で相対評価された品質評価値を知ることができ、よって、この受信時刻範囲に属する受信時刻に転送時間長情報が受信された１つの転送時間長をアクセスの品質として絶対評価するときの問題を解決できる。
【００４０】
請求項１４の本発明は、端末によりアクセスされたサーバのページが端末に転送されるまでの時間長を転送時間長としたときに同一の受信時刻範囲に属する受信時刻に転送時間長を示す転送時刻情報が受信された複数の転送時間長の総和である転送時間長総和が記憶される部分を複数の受信時刻範囲のそれぞれについて有する転送時間長総和記憶手段を備えるアクセス品質評価装置の統計処理手段が転送時間長総和を算出して転送時間長総和記憶手段に記憶させ、前記複数の転送時間長のそれぞれを示す転送時間長情報の合計数である転送時間長情報数が記憶される部分を前記複数の受信時刻範囲のそれぞれについて有する転送時間長情報数記憶手段を備える前記アクセス品質評価装置の前記統計処理手段が転送時間長情報数を算出して転送時間長情報数記憶手段に記憶させ、前記複数の転送時間長の２乗の総和である転送時間長２乗総和が記憶される部分を前記複数の受信時刻範囲のそれぞれについて有する転送時間長２乗総和記憶手段を備える前記アクセス品質評価装置の前記統計処理手段が転送時間長２乗総和を算出して転送時間長２乗総和記憶手段に記憶させ、前記アクセス品質評価装置の転送時間長情報受信手段が、ページが転送された端末からそのときの転送時間長情報を受信し、前記統計処理手段が、前記転送時間長情報数記憶手段の、受信された転送時刻情報の受信時刻の属する受信時刻範囲に該当する部分から転送時間長情報数を読み出し、この転送時間長情報数が所定数に満たないときは、前記転送時間長情報数記憶手段の、２以上の受信時刻範囲に該当する部分に記憶された転送時間長情報数の合計を転送時間長情報数とし、前記転送時間長総和記憶手段の、当該２以上の受信時刻範囲に該当する部分に記憶された転送時間長総和の合計を転送時間長総和とし、前記転送時間長２乗総和記憶手段の、当該２以上の受信時刻範囲に該当する部分に記憶された転送時間長２乗総和の合計を転送時間長２乗総和とし、これらの情報を用いて、複数の転送時間長の平均である転送時間長平均ならびに当該転送時間長の分散である転送時間長分散を求め、前記アクセス品質評価装置のアクセス品質評価手段が、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得て、前記アクセス品質評価装置のアクセス品質値送信手段が、得られたアクセス品質評価値を前記受信された転送時間長情報の送信元である端末へ送信することを特徴とするアクセス品質評価方法をもって解決手段とする。
【００４１】
請求項１４の本発明は、端末によりアクセスされたサーバのページが端末に転送されるまでの時間長を転送時間長としたときに同一の受信時刻範囲に属する受信時刻に転送時間長を示す転送時刻情報が受信された複数の転送時間長の総和である転送時間長総和が記憶される部分を複数の受信時刻範囲のそれぞれについて有する転送時間長総和記憶手段を備えるアクセス品質評価装置の統計処理手段が転送時間長総和を算出して転送時間長総和記憶手段に記憶させ、前記複数の転送時間長のそれぞれを示す転送時間長情報の合計数である転送時間長情報数が記憶される部分を前記複数の受信時刻範囲のそれぞれについて有する転送時間長情報数記憶手段を備える前記アクセス品質評価装置の前記統計処理手段が転送時間長情報数を算出して転送時間長情報数記憶手段に記憶させ、前記複数の転送時間長の２乗の総和である転送時間長２乗総和が記憶される部分を前記複数の受信時刻範囲のそれぞれについて有する転送時間長２乗総和記憶手段を備える前記アクセス品質評価装置の前記統計処理手段が転送時間長２乗総和を算出して転送時間長２乗総和記憶手段に記憶させ、前記アクセス品質評価装置の転送時間長情報受信手段が、ページが転送された端末からそのときの転送時間長情報を受信し、前記統計処理手段が、前記転送時間長情報数記憶手段の、受信された転送時刻情報の受信時刻の属する受信時刻範囲に該当する部分から転送時間長情報数を読み出し、この転送時間長情報数が所定数に満たないときは、前記転送時間長情報数記憶手段の、２以上の受信時刻範囲に該当する部分に記憶された転送時間長情報数の合計を転送時間長情報数とし、前記転送時間長総和記憶手段の、当該２以上の受信時刻範囲に該当する部分に記憶された転送時間長総和の合計を転送時間長総和とし、前記転送時間長２乗総和記憶手段の、当該２以上の受信時刻範囲に該当する部分に記憶された転送時間長２乗総和の合計を転送時間長２乗総和とし、これらの情報を用いて、複数の転送時間長の平均である転送時間長平均ならびに当該転送時間長の分散である転送時間長分散を求め、前記アクセス品質評価装置のアクセス品質評価手段が、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得て、前記アクセス品質評価装置のアクセス品質値送信手段が、得られたアクセス品質評価値を前記受信された転送時間長情報の送信元である端末へ送信することを特徴とするアクセス品質評価方法としたことで、端末が転送時間長情報を送信し、送信された品質評価値を表示することにより、ユーザは、多くの転送時間長情報から得られた信頼性の高い、相対評価された品質評価値を知ることができ、よって、１つの転送時間長をアクセスの品質として絶対評価するときの問題を解決できる。
【００４２】
請求項１５の本発明は、端末によりアクセスされたサーバのページが端末に転送されるまでの時間長を転送時間長としたときの同一のページサイズ範囲に属するサイズを有するページについての複数の転送時間長の総和である転送時間長総和が記憶される部分を複数のページサイズ範囲のそれぞれについて有する転送時間長総和記憶手段を備えるアクセス品質評価装置の統計処理手段が転送時間長総和を算出して転送時間長総和記憶手段に記憶させ、前記複数の転送時間長のそれぞれを示す転送時間長情報の合計数である転送時間長情報数が記憶される部分を前記複数のページサイズ範囲のそれぞれについて有する転送時間長情報数記憶手段を備える前記アクセス品質評価装置の前記統計処理手段が転送時間長情報数を算出して転送時間長情報数記憶手段に記憶させ、前記複数の転送時間長の２乗の総和である転送時間長２乗総和が記憶される部分を前記複数のページサイズ範囲のそれぞれについて有する転送時間長２乗総和記憶手段を備える前記アクセス品質評価装置の前記統計処理手段が転送時間長２乗総和を算出して転送時間長２乗総和記憶手段に記憶させ、前記アクセス品質評価装置の転送時間長情報受信手段が、ページが転送された端末からそのときの転送時間長情報を当該ページのサイズを示すページサイズ情報とともに受信し、前記統計処理手段が、前記転送時間長情報数記憶手段の、受信されたページサイズ情報で示されるサイズの属するページサイズ範囲に該当する部分から転送時間長情報数を読み出し、この転送時間長情報数が所定数に満たないときは、前記転送時間長情報数記憶手段の、２以上のページサイズ範囲に該当する部分に記憶された転送時間長情報数の合計を転送時間長情報数とし、前記転送時間長総和記憶手段の、当該２以上のページサイズ範囲に該当する部分に記憶された転送時間長総和の合計を転送時間長総和とし、前記転送時間長２乗総和記憶手段の、当該２以上のページサイズ範囲に該当する部分に記憶された転送時間長２乗総和の合計を転送時間長２乗総和とし、これらの情報を用いて、複数の転送時間長の平均である転送時間長平均ならびに当該転送時間長の分散である転送時間長分散を求め、前記アクセス品質評価装置のアクセス品質評価手段が、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得て、前記アクセス品質評価装置のアクセス品質値送信手段が、得られたアクセス品質評価値を前記受信された転送時間長情報の送信元である端末へ送信することを特徴とするアクセス品質評価方法をもって解決手段とする。
【００４３】
請求項１５の本発明は、端末によりアクセスされたサーバのページが端末に転送されるまでの時間長を転送時間長としたときの同一のページサイズ範囲に属するサイズを有するページについての複数の転送時間長の総和である転送時間長総和が記憶される部分を複数のページサイズ範囲のそれぞれについて有する転送時間長総和記憶手段を備えるアクセス品質評価装置の統計処理手段が転送時間長総和を算出して転送時間長総和記憶手段に記憶させ、前記複数の転送時間長のそれぞれを示す転送時間長情報の合計数である転送時間長情報数が記憶される部分を前記複数のページサイズ範囲のそれぞれについて有する転送時間長情報数記憶手段を備える前記アクセス品質評価装置の前記統計処理手段が転送時間長情報数を算出して転送時間長情報数記憶手段に記憶させ、前記複数の転送時間長の２乗の総和である転送時間長２乗総和が記憶される部分を前記複数のページサイズ範囲のそれぞれについて有する転送時間長２乗総和記憶手段を備える前記アクセス品質評価装置の前記統計処理手段が転送時間長２乗総和を算出して転送時間長２乗総和記憶手段に記憶させ、前記アクセス品質評価装置の転送時間長情報受信手段が、ページが転送された端末からそのときの転送時間長情報を当該ページのサイズを示すページサイズ情報とともに受信し、前記統計処理手段が、前記転送時間長情報数記憶手段の、受信されたページサイズ情報で示されるサイズの属するページサイズ範囲に該当する部分から転送時間長情報数を読み出し、この転送時間長情報数が所定数に満たないときは、前記転送時間長情報数記憶手段の、２以上のページサイズ範囲に該当する部分に記憶された転送時間長情報数の合計を転送時間長情報数とし、前記転送時間長総和記憶手段の、当該２以上のページサイズ範囲に該当する部分に記憶された転送時間長総和の合計を転送時間長総和とし、前記転送時間長２乗総和記憶手段の、当該２以上のページサイズ範囲に該当する部分に記憶された転送時間長２乗総和の合計を転送時間長２乗総和とし、これらの情報を用いて、複数の転送時間長の平均である転送時間長平均ならびに当該転送時間長の分散である転送時間長分散を求め、前記アクセス品質評価装置のアクセス品質評価手段が、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得て、前記アクセス品質評価装置のアクセス品質値送信手段が、得られたアクセス品質評価値を前記受信された転送時間長情報の送信元である端末へ送信することを特徴とするアクセス品質評価方法としたことで、端末が転送時間長情報を送信し、送信された品質評価値を表示することにより、ユーザは、多くの転送時間長情報から得られた信頼性の高い、相対評価された品質評価値を知ることができ、よって、１つの転送時間長をアクセスの品質として絶対評価するときの問題を解決できる。
【００４４】
請求項１６の本発明は、端末によりアクセスされたサーバのページが端末に転送されるまでの時間長を転送時間長としたときの複数の転送時間長の総和である転送時間長総和が記憶される転送時間長総和記憶手段を備えるアクセス品質評価装置の統計処理手段が転送時間長総和を算出して転送時間長総和記憶手段に記憶させ、前記複数の転送時間長のそれぞれを示す転送時間長情報の合計数である転送時間長情報数が記憶される転送時間長情報数記憶手段を備える前記アクセス品質評価装置の前記統計処理手段が転送時間長情報数を算出して転送時間長情報数記憶手段に記憶させ、前記複数の転送時間長の２乗の総和である転送時間長２乗総和が記憶される転送時間長２乗総和記憶手段を備える前記アクセス品質評価装置の前記統計処理手段が転送時間長２乗総和を算出して転送時間長２乗総和記憶手段に記憶させ、前記アクセス品質評価装置の情報転送手段が、転送時間長総和記憶手段に記憶された転送時間長総和を所定の時刻に第２転送時間長総和記憶手段に移し替えて記憶させ、転送時間長情報数記憶手段に記憶された転送時間長情報数を所定の時刻に第２転送時間長情報数記憶手段に移し替えて記憶させ、転送時間長２乗総和記憶手段に記憶された転送時間長２乗総和を所定の時刻に第２転送時間長総和記憶手段に移し替えて記憶させ、前記アクセス品質評価装置の転送時間長情報受信手段が、ページが転送された端末からそのときの転送時間長情報を受信し、前記アクセス品質評価装置の更新手段が、転送時間長情報が受信されたとき、転送時間長総和記憶手段から転送時間長総和を読み出し、受信された転送時間長情報で示される転送時間長を加算して、転送時間長総和記憶手段に記憶させ、転送時間長情報数記憶手段に記憶された転送時間長情報数を読み出し、１を加算して、転送時間長情報数記憶手段に記憶させ、転送時間長２乗総和記憶手段から転送時間長２乗総和を読み出し、受信された転送時間長情報で示される転送時間長の２乗を加算して、転送時間長２乗総和記憶手段に記憶させ、前記統計処理手段が、転送時間長情報が受信されたとき、更新手段の処理の終了を待たずに、前記第２転送時間長情報数記憶手段から転送時間長情報数を読み出し、前記第２転送時間長総和記憶手段から転送時間長総和を読み出し、前記第２転送時間長２乗総和記憶手段から転送時間長２乗総和を読み出し、これらの情報を用いて、複数の転送時間長の平均である転送時間長平均ならびに当該転送時間長の分散である転送時間長分散を求め、前記アクセス品質評価装置のアクセス品質評価手段が、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得て、前記アクセス品質評価装置のアクセス品質値送信手段が、得られたアクセス品質評価値を前記受信された転送時間長情報の送信元である端末へ送信することを特徴とするアクセス品質評価方法をもって解決手段とする。
【００４５】
請求項１６の本発明は、端末によりアクセスされたサーバのページが端末に転送されるまでの時間長を転送時間長としたときの複数の転送時間長の総和である転送時間長総和が記憶される転送時間長総和記憶手段を備えるアクセス品質評価装置の統計処理手段が転送時間長総和を算出して転送時間長総和記憶手段に記憶させ、前記複数の転送時間長のそれぞれを示す転送時間長情報の合計数である転送時間長情報数が記憶される転送時間長情報数記憶手段を備える前記アクセス品質評価装置の前記統計処理手段が転送時間長情報数を算出して転送時間長情報数記憶手段に記憶させ、前記複数の転送時間長の２乗の総和である転送時間長２乗総和が記憶される転送時間長２乗総和記憶手段を備える前記アクセス品質評価装置の前記統計処理手段が転送時間長２乗総和を算出して転送時間長２乗総和記憶手段に記憶させ、前記アクセス品質評価装置の情報転送手段が、転送時間長総和記憶手段に記憶された転送時間長総和を所定の時刻に第２転送時間長総和記憶手段に移し替えて記憶させ、転送時間長情報数記憶手段に記憶された転送時間長情報数を所定の時刻に第２転送時間長情報数記憶手段に移し替えて記憶させ、転送時間長２乗総和記憶手段に記憶された転送時間長２乗総和を所定の時刻に第２転送時間長総和記憶手段に移し替えて記憶させ、前記アクセス品質評価装置の転送時間長情報受信手段が、ページが転送された端末からそのときの転送時間長情報を受信し、前記アクセス品質評価装置の更新手段が、転送時間長情報が受信されたとき、転送時間長総和記憶手段から転送時間長総和を読み出し、受信された転送時間長情報で示される転送時間長を加算して、転送時間長総和記憶手段に記憶させ、転送時間長情報数記憶手段に記憶された転送時間長情報数を読み出し、１を加算して、転送時間長情報数記憶手段に記憶させ、転送時間長２乗総和記憶手段から転送時間長２乗総和を読み出し、受信された転送時間長情報で示される転送時間長の２乗を加算して、転送時間長２乗総和記憶手段に記憶させ、前記統計処理手段が、転送時間長情報が受信されたとき、更新手段の処理の終了を待たずに、前記第２転送時間長情報数記憶手段から転送時間長情報数を読み出し、前記第２転送時間長総和記憶手段から転送時間長総和を読み出し、前記第２転送時間長２乗総和記憶手段から転送時間長２乗総和を読み出し、これらの情報を用いて、複数の転送時間長の平均である転送時間長平均ならびに当該転送時間長の分散である転送時間長分散を求め、前記アクセス品質評価装置のアクセス品質評価手段が、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得て、前記アクセス品質評価装置のアクセス品質値送信手段が、得られたアクセス品質評価値を前記受信された転送時間長情報の送信元である端末へ送信することを特徴とするアクセス品質評価方法としたことで、端末が転送時間長情報を送信し、送信された品質評価値を表示することにより、ユーザは、相対評価された品質評価値を早期に知ることができ、よって、１つの転送時間長をアクセスの品質として絶対評価するときの問題を解決できる。
【００４６】
請求項１７の本発明は、前記アクセス品質評価手段は、アクセス品質評価値を
【数４】
2006227937.tif 000004
【００４７】
により算出することを特徴とする請求項１０ないし１６のいずれかに記載のアクセス品質評価方法をもって解決手段とする。
【００４８】
請求項１７の本発明は、前記アクセス品質評価手段は、アクセス品質評価値を、当該式により算出することで、アクセス品質評価値を得るようにしている。
【００４９】
請求項１８の本発明は、所定のアクセス品質評価値、転送時間長平均と転送時間長分散とを変数とした第１式、当該転送時間長平均と転送時間長分散とを変数とした第２式、が互いに対応づけられる部分を複数のアクセス品質評価値のそれぞれについて有するアクセス品質評価値記憶手段を前記アクセス品質評価装置が備え、前記アクセス品質評価手段は、前記アクセス品質評価値記憶手段の任意の部分から第１式を読み出し、この第１式の変数に、求められた転送時間長平均と転送時間長分散を代入し、前記アクセス品質評価値記憶手段の当該部分から第２式を読み出し、この第２式の変数に、求められた転送時間長平均と転送時間長分散を代入し、転送時間長平均と転送時間長分散を代入した第１式で示される上限と、転送時間長平均と転送時間長分散を代入した第２式で示される下限との間に、受信された転送時間長情報で示される転送時間長が属するときは、当該部分のアクセス品質評価値を読み出すことを特徴とする請求項１０ないし１６のいずれかに記載のアクセス品質評価方法をもって解決手段とする。
【００５０】
請求項１８の本発明は、所定のアクセス品質評価値、転送時間長平均と転送時間長分散とを変数とした第１式、当該転送時間長平均と転送時間長分散とを変数とした第２式、が互いに対応づけられる部分を複数のアクセス品質評価値のそれぞれについて有するアクセス品質評価値記憶手段を前記アクセス品質評価装置が備え、前記アクセス品質評価手段は、前記アクセス品質評価値記憶手段の任意の部分から第１式を読み出し、この第１式の変数に、求められた転送時間長平均と転送時間長分散を代入し、前記アクセス品質評価値記憶手段の当該部分から第２式を読み出し、この第２式の変数に、求められた転送時間長平均と転送時間長分散を代入し、転送時間長平均と転送時間長分散を代入した第１式で示される上限と、転送時間長平均と転送時間長分散を代入した第２式で示される下限との間に、受信された転送時間長情報で示される転送時間長が属するときは、当該部分のアクセス品質評価値を読み出すことで、アクセス品質評価値を得るようにしている。
【発明の効果】
【００５１】
本発明によれば、ページが転送された端末からそのときの転送時間長情報を受信し、転送時間長情報数記憶手段から転送時間長情報数を読み出し、転送時間長総和記憶手段から転送時間長総和を読み出し、転送時間長２乗総和記憶手段から転送時間長２乗総和を読み出し、これらの情報を用いて、複数の転送時間長の平均である転送時間長平均ならびに当該転送時間長の分散である転送時間長分散を求め、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得て、得られたアクセス品質評価値を、受信された転送時間長情報の送信元である端末へ送信することとしたので、端末が転送時間長情報を送信し、送信された品質評価値を表示することにより、ユーザは、相対評価された品質評価値を知ることができ、よって、１つの転送時間長をアクセスの品質として絶対評価するときの問題を解決できる。
【発明を実施するための最良の形態】
【００５２】
以下、本発明に係るアクセス品質評価装置とアクセス品質評価方法の実施の形態を図面を参照して説明する。
【００５３】
[第１の実施の形態]
図１は、本発明の第１の実施の形態で用いるシステム構成を示す図である。
【００５４】
端末１，１，…は、例えば、図示しないインターネットやイントラネットのウェブサーバ（以下単にサーバという）にアクセスし、サーバから送信されたウェブページ（以下単にページという）を表示するものである。この端末１，…にインターネットなどを介して接続されたアクセス品質評価装置２は、例えば、端末１がサーバにアクセスしてサーバからページが端末１に転送されたときのアクセス品質評価値を端末１に送信し、これを端末１で表示できるようにするものである。
【００５５】
端末１は、端末１によりアクセスされたサーバのページが端末１に転送されるまでの時間長を示す転送時間長情報を取得する転送時間長情報取得部１１と、ページのサイズを示すページサイズ情報を取得するページサイズ情報取得部１２と、転送時間長情報とページサイズ情報とをアクセス品質評価装置２に送信し、アクセス品質評価装置２から送信されるアクセス品質評価値を受信する通信部１３と、受信されたアクセス品質評価値を表示するアクセス品質評価値表示部１４とを備える。
【００５６】
アクセス品質評価装置２は、複数の転送時間長の総和である転送時間長総和が記憶される転送時間長総和記憶部２１１と、当該複数の転送時間長のそれぞれを示す転送時間長情報の合計数である転送時間長情報数が記憶される転送時間長情報数記憶部２１２と、当該複数の転送時間長の２乗の総和である転送時間長２乗総和が記憶される転送時間長２乗総和記憶部２１３とを備えるとともにこれら記憶部を管理するデータベース部２１、端末１から転送時間長情報をページサイズ情報とともに受信する転送時間長情報受信手段と、受信された転送時間長情報により得られたアクセス品質評価値を端末１に送信するアクセス品質値送信手段の両手段として機能する通信部２２と、転送時間長情報数記憶部２１２から転送時間長情報数を読み出し、転送時間長総和記憶部２１１から転送時間長総和を読み出し、転送時間長２乗総和記憶部２１３から転送時間長２乗総和を読み出し、これらの情報を用いて、複数の転送時間長の平均である転送時間長平均ならびに当該転送時間長の分散である転送時間長分散を求める統計処理部２３と、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得るアクセス品質評価部２４とを備える。
【００５７】
図２は、転送時間長総和記憶部２１１の中の、サーバ名がｗｗｗ．ａ００．ｃｏ．ｊｐであるサーバについてのテーブルを示す図であり、このときの転送時間長総和記憶部２１１は、同様の部分を他のサーバについても有する。
【００５８】
転送時間長総和記憶部２１１の、サーバ名がｗｗｗ．ａ００．ｃｏ．ｊｐであるサーバについてのテーブルには、このサーバ名やこのサーバのＩＰアドレス（以下サーバ名という）が登録され、さらに、このサーバ内の同一のページサイズ範囲に属するサイズを有するページについての複数の転送時間長の総和である転送時間長総和が記憶される部分を複数のページサイズ範囲のそれぞれについて有する。また、転送時間長総和記憶部２１１のこのサーバについてのテーブルは、同一の受信時刻範囲に属する受信時刻に転送時刻情報が受信された複数の転送時間長の総和である転送時間長総和が記憶される部分を複数の受信時刻範囲のそれぞれについて有する。
【００５９】
なお、ページサイズ範囲や受信時刻範囲は、図２に示す範囲に限定しなくてもよい。つまり、図２では、例えば、各受信時刻範囲を４時間としているが、２時間としてもよい。  図３は、転送時間長情報数記憶部２１２の中の、サーバ名がｗｗｗ．ａ００．ｃｏ．ｊｐであるサーバについてのテーブルを示す図であり、このときの転送時間長情報数記憶部２１２は、同様の部分を他のサーバについても有する。
【００６０】
転送時間長情報数記憶部２１２の、サーバ名がｗｗｗ．ａ００．ｃｏ．ｊｐであるサーバについてのテーブルには、このサーバ名が登録され、さらに、転送時間長情報数が記憶される部分を図２に示した複数のページサイズ範囲のそれぞれについて有する。また、転送時間長情報数記憶部２１２のこのサーバについてのテーブルは、転送時間長情報数が記憶される部分を図２に示した複数の受信時刻範囲のそれぞれについて有する。
【００６１】
なお、転送時間長総和記憶部２１１と同様に、ページサイズ範囲や受信時刻範囲は、この範囲に限定しなくてもよい。
【００６２】
なお、ページサイズ範囲や受信時刻範囲は、図２に示す範囲に限定しなくてもよい。つまり、図２では、例えば、各受信時刻範囲を４時間としているが、２時間としてもよい。  図４は、転送時間長２乗総和記憶部２１３の中の、サーバ名がｗｗｗ．ａ００．ｃｏ．ｊｐであるサーバについてのテーブルを示す図であり、このときの転送時間長２乗総和記憶部２１３は、同様の部分を他のサーバについても有する。
【００６３】
転送時間長２乗総和記憶部２１３の、サーバ名がｗｗｗ．ａ００．ｃｏ．ｊｐであるサーバについてのテーブルには、このサーバ名が登録され、さらに、転送時間長２乗総和が記憶される部分を図２や図３に示した複数のページサイズ範囲のそれぞれについて有する。また、転送時間長２乗総和記憶部２１３のこのサーバについてのテーブルは、転送時間長２乗総和が記憶される部分を図２や図３に示した複数の受信時刻範囲のそれぞれについて有する。
【００６４】
なお、転送時間長総和記憶部２１１や転送時間長情報数記憶部２１２と同様に、ページサイズ範囲や受信時刻範囲は、この範囲に限定しなくてもよい。
【００６５】
[第１の実施の形態の動作]
次に、第１の実施の形態の動作を説明する。
【００６６】
例えば、端末１では、転送時間長情報取得部１１が、ページの取得要求（例えば、Ｈｙｐｅｒ  Ｔｅｘｔ  Ｔｒａｎｓｆｅｒ  Ｐｒｏｔｃｏｌ（ＨＴＴＰプロトコル）の「ＧＥＴリクエスト」）を送信した先のサーバのサーバ名または当該サーバのＩｎｔｅｒｎｅｔ  Ｐｒｏｔｃｏｌアドレス（ＩＰアドレス）を取得し、また、ページの取得要求を送信した時刻から、そのページを構成する画像や音声等の各種オブジェクトのすべての転送が完了する時刻までの間の時間長である転送時間長を示す転送時間長情報を取得する。
【００６７】
また、端末１では、ページサイズ情報取得部１２が、ページのサイズを示すページサイズ情報、例えば、ページを構成する文章のサイズ、画像などの各種オブジェクトのサイズの合計を示すページサイズ情報を取得する。
【００６８】
そして、端末１では、通信部１３が、取得された転送時間長情報を、取得されたサーバ名およびページサイズ情報とともに、アクセス品質評価装置２に送信する。
【００６９】
図５は、アクセス品質評価装置２のフローチャートである。
【００７０】
まず、アクセス品質評価装置２は待ち状態となり（ステップＳ１）、端末１から送信された転送時間長情報などが受信されたか否かを例えば、一定時間ごとに判定し（ステップＳ３）、Ｎｏと判定された場合は、元の待ち状態へ移行する。
【００７１】
一方、Ｙｅｓと判定された場合は、統計処理部２３がデータベース部２１に対し、受信されたサーバ名が転送時間長総和記憶部２１１、転送時間長情報数記憶部２１２および転送時間長２乗総和記憶部２１３に登録されているか否かを問い合わせ、データベース部２１がこれを判定する（ステップＳ５）。Ｎｏと判定された場合は、データベース部２１が、受信されたサーバ名に該当するテーブルを転送時間長総和記憶部２１１、転送時間長情報数記憶部２１２および転送時間長２乗総和記憶部２１３のそれぞれに作成する（ステップＳ７）。
【００７２】
そして、統計処理部２３は、受信された転送時間長情報で示される転送時間長を、データベース部２１を介して、転送時間長総和記憶部２１１の該当テーブルの該当部分に記憶させ、さらに、統計処理部２３は、転送時間長情報数として１を、データベース部２１を介して、転送時間長情報数記憶部２１２の該当テーブルの該当部分に記憶させ、さらに、統計処理部２３は、受信された転送時間長情報で示される転送時間長の２乗を転送時間長２乗総和として、データベース部２１を介して、転送時間長２乗総和記憶部２１３の該当テーブルの該当部分に記憶させ（ステップＳ９）、元の待ち状態へ移行する。
【００７３】
一方、ステップＳ５で、Ｙｅｓと判定された場合（テーブルあり）は、統計処理部２３が、転送時間長情報等が受信された受信時刻を取得し、さらに、データベース部２１を介して、転送時間長総和記憶部２１１の該当テーブルの、受信されたページサイズ情報で示されるサイズの属するページサイズ範囲と当該受信時刻の属する受信時刻範囲の両方の範囲に該当する部分から転送時間長総和を読み出し、さらに、データベース部２１を介して、転送時間長情報数記憶部２１２の該当テーブルの、受信されたページサイズ情報で示されるサイズの属するページサイズ範囲と当該受信時刻の属する受信時刻範囲の両方の範囲に該当する部分から転送時間長情報数を読み出し、さらに、データベース部２１を介して、転送時間長２乗総和記憶部２１３の該当テーブルの、受信されたページサイズ情報で示されるサイズの属するページサイズ範囲と当該受信時刻の属する受信時刻範囲の両方の範囲に該当する部分から転送時間長２乗総和を読み出す（ステップＳ１１）。
【００７４】
次に、統計処理部２３は、読み出した転送時間長総和に、受信された転送時間長情報で示される転送時間長を加算し、加算後の転送時間長総和を、データベース部２１を介して、転送時間長総和記憶部２１１の該当テーブルの該当部分に記憶させ、さらに、統計処理部２３は、読み出した転送時間長情報数に１を加算し、加算後の転送時間長情報数を、データベース部２１を介して、転送時間長情報数記憶部２１２の該当テーブルの該当部分に記憶させ、さらに、統計処理部２３は、読み出した転送時間長２乗総和に、受信された転送時間長情報で示される転送時間長の２乗を加算し、加算後の転送時間長２乗総和を、データベース部２１を介して、転送時間長２乗総和記憶部２１３の該当テーブルの該当部分に記憶させる（ステップＳ１３）。
【００７５】
次に、統計処理部２３は、加算後の転送時間長総和と、加算後の転送時間長情報数と、加算後の転送時間長２乗総和とを用いて、複数の転送時間長の平均である転送時間長平均ならびに当該転送時間長の分散である転送時間長分散を求める（ステップＳ１７）。
【００７６】
すなわち、式（１）を用いて、転送時間長平均を求め、式（２）を用いて、転送時間長分散を求める。
【数５】
2006227937.tif 000005
【００７７】
次に、アクセス品質評価部２４は、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得る（ステップＳ１９）。
【００７８】
例えば、式（３）を用いて、アクセス品質評価値を求める。
【数６】
2006227937.tif 000006
【００７９】
なお、２の部分を定数ｊとし、６の部分を定数ｋとして、それぞれ他の数値を用いてもよい。
【００８０】
また、以下のようにしてアクセス品質評価値を求めてもよい。
【００８１】
つまり、図６に示すように、予め、所定のアクセス品質評価値、転送時間長平均と転送時間長分散とを変数とした第１式ｍａｘ、当該転送時間長平均と転送時間長分散とを変数とした第２式ｍｉｎ、が互いに対応づけられる部分を複数のアクセス品質評価値のそれぞれについて有するアクセス品質評価値記憶部２１４を設ける。
【００８２】
そして、アクセス品質評価部２４は、アクセス品質評価値記憶部２１４の任意の部分から第１式ｍａｘを読み出し、この第１式ｍａｘの変数に、求められた転送時間長平均と転送時間長分散を代入し、アクセス品質評価値記憶部２１４の当該部分から第２式ｍｉｎを読み出し、この第２式ｍｉｎの変数に、求められた転送時間長平均と転送時間長分散を代入し、転送時間長平均と転送時間長分散を代入した第１式ｍａｘで示される上限と、転送時間長平均と転送時間長分散を代入した第２式ｍｉｎで示される下限との間に、受信された転送時間長情報で示される転送時間長が属するときは、当該部分のアクセス品質評価値を読み出す。
【００８３】
なお、アクセス品質評価部２４は、このときの上限と下限との間に、受信された転送時間長情報で示される転送時間長が属しないときは、他の部分において、同様のことを行うことでアクセス品質評価値を得る。
【００８４】
次に、通信部２２が、得られたアクセス品質評価値を、受信された転送時間長情報の送信元である端末１に送信し（ステップＳ２１）、元の待ち状態へ移行する。
【００８５】
端末１では、送信されたアクセス品質評価値を通信部１３が受信し、これをアクセス品質評価値表示部１４が表示する。
【００８６】
図７は、端末１でのアクセス品質評価値の表示例を示す図である。
【００８７】
この例では、アクセス品質評価値表示部１４が、ウェブブラウザのツールバー形式のプラグインモジュールであり、受信されたアクセス品質評価値をバー形式と数値により表示し、さらに、端末１がアクセス品質評価装置２に送信した転送時間長情報で示される転送時間長、端末１がアクセス品質評価装置２に送信したページサイズ情報で示されるサイズを表示している。
【００８８】
したがって、ユーザは、バー形式の表示と数値により、相対的なアクセス品質評価値を知ることができる。
【００８９】
あるユーザの端末へのページの転送時間が長くても、他の端末へのページの転送時間も同様に長ければ、このアクセス品質評価値が高く維持されるので、ユーザは、この場合、転送時間が長くなる要因が、そのユーザの端末に関わる部分にのみあるのはでないこと、例えば、サーバが同一期間にアクセスを受ける回数が多くなり、１回のページの転送に割り当てる処理能力が低下していること、を知ることができる。一方、あるユーザの端末へのページの転送時間が長く、他の端末へのページの転送時間が短いときは、このアクセス品質評価値が低下するので、ユーザは、この場合、転送時間が長くなる要因が、そのユーザの端末に関わる部分にあること、例えば、その端末が他の処理をしていて、ページの受信に割り当てる処理能力が低下している、ことを知ることができる。
【００９０】
つまり、アクセスの品質の低下の要因が、サーバへの同一期間におけるアクセスの回数の増加なのか、その端末で行われている他の処理なのかを判別することができる。
【００９１】
また、あるユーザの端末へのページの転送時間が長くても、それがサーバが接続されているネットワークの帯域が不足しているときならば、このアクセス品質評価値が高く維持されるので、ユーザは、この場合、転送時間が長くなる要因が、アクセス回線の帯域の不足ではないことを知ることができる。
【００９２】
また、あるユーザの端末へのページの転送時間が長くても、それがページのサイズが大きくことが要因であるならば、このアクセス品質評価値が高く維持されるので、この場合、アクセスの品質が実際に低下していると誤認されるのを防止することができる。
【００９３】
また、あるユーザの端末へのページの転送時間が長くても、それがサーバへのアクセスが集中する時間帯ならば、このアクセス品質評価値が高く維持されるので、この場合、その端末で他の処理がなされていることが要因でアクセスの品質が低下していると誤認されるのを防止することができる。
【００９４】
以上のように、第１の実施の形態によれば、アクセス品質評価装置を以下のように、すなわち、端末によりアクセスされたサーバのページが端末に転送されるまでの時間長を転送時間長としたときの複数の転送時間長の総和である転送時間長総和が記憶される転送時間長総和記憶手段（２１１）と、その複数の転送時間長のそれぞれを示す転送時間長情報の合計数である転送時間長情報数が記憶される転送時間長情報数記憶手段（２１２）と、その複数の転送時間長の２乗の総和である転送時間長２乗総和が記憶される転送時間長２乗総和記憶手段（２１３）と、ページが転送された端末からそのときの転送時間長情報を受信する転送時間長情報受信手段（２２）と、転送時間長情報数記憶手段（２１２）から転送時間長情報数を読み出し、転送時間長総和記憶手段（２１１）から転送時間長総和を読み出し、転送時間長２乗総和記憶手段（２１３）から転送時間長２乗総和を読み出し、これらの情報を用いて、複数の転送時間長の平均である転送時間長平均ならびに当該転送時間長の分散である転送時間長分散を求める統計処理手段（２３）と、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得るアクセス品質評価手段（２４）と、得られたアクセス品質評価値を前記受信された転送時間長情報の送信元である端末へ送信するアクセス品質値送信手段（２２）とを備えるアクセス品質評価装置としたことで、端末が転送時間長情報を送信し、送信された品質評価値を表示することにより、ユーザは、相対評価された品質評価値を知ることができ、よって、１つの転送時間長をアクセスの品質として絶対評価するときの問題を解決できる。
【００９５】
また、アクセス品質評価方法を以下のように、すなわち、端末によりアクセスされたサーバのページが端末に転送されるまでの時間長を転送時間長としたときの複数の転送時間長の総和である転送時間長総和が記憶される転送時間長総和記憶手段（２１１）を備えるアクセス品質評価装置の統計処理手段（２３）が転送時間長総和を算出して転送時間長総和記憶手段（２１１）に記憶させ、複数の転送時間長のそれぞれを示す転送時間長情報の合計数である転送時間長情報数が記憶される転送時間長情報数記憶手段（２１２）を備えるアクセス品質評価装置の統計処理手段（２３）が転送時間長情報数を算出して転送時間長情報数記憶手段（２１２）に記憶させ、複数の転送時間長の２乗の総和である転送時間長２乗総和が記憶される転送時間長２乗総和記憶手段（２１３）を備えるアクセス品質評価装置の統計処理手段（２３）が転送時間長２乗総和を算出して転送時間長２乗総和記憶手段（２１３）に記憶させ、アクセス品質評価装置の転送時間長情報受信手段（２２）が、ページが転送された端末からそのときの転送時間長情報を受信し、統計処理手段（２３）が、転送時間長情報数記憶手段（２１２）から転送時間長情報数を読み出し、転送時間長総和記憶手段（２１１）から転送時間長総和を読み出し、転送時間長２乗総和記憶手段（２１３）から転送時間長２乗総和を読み出し、これらの情報を用いて、複数の転送時間長の平均である転送時間長平均ならびに当該転送時間長の分散である転送時間長分散を求め、アクセス品質評価装置のアクセス品質評価手段（２４）が、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得て、アクセス品質評価装置のアクセス品質値送信手段（２２）が、得られたアクセス品質評価値を、受信された転送時間長情報の送信元である端末へ送信するアクセス品質評価方法としたことで、端末が転送時間長情報を送信し、送信された品質評価値を表示することにより、ユーザは、相対評価された品質評価値を知ることができ、よって、１つの転送時間長をアクセスの品質として絶対評価するときの問題を解決できる。
【００９６】
また、アクセス品質評価装置を以下のように、すなわち、端末によりアクセスされたサーバのページが端末に転送されるまでの時間長を転送時間長としたときの同一のサーバから転送されるページについての複数の転送時間長の総和である転送時間長総和が記憶される部分を複数のサーバのそれぞれについて有する転送時間長総和記憶手段（２１１）と、複数の転送時間長のそれぞれを示す転送時間長情報の合計数である転送時間長情報数が記憶される部分を複数のサーバのそれぞれについて有する転送時間長情報数記憶手段（２１２）と、複数の転送時間長の２乗の総和である転送時間長２乗総和が記憶される部分を複数のサーバのそれぞれについて有する転送時間長２乗総和記憶手段（２１３）と、ページが表示された端末からそのときの転送時間長情報を当該ページを転送したサーバのサーバ名とともに受信する転送時間長情報受信手段（２２）と、転送時間長情報数記憶手段（２１２）の、受信されたサーバ名で示されるサーバに該当する部分から転送時間長情報数を読み出し、転送時間長総和記憶手段（２１１）の、受信されたサーバ名で示されるサーバに該当する部分から転送時間長総和を読み出し、転送時間長２乗総和記憶手段（２１３）の、受信されたサーバ名で示されるサーバに該当する部分から転送時間長２乗総和を読み出し、これらの情報を用いて、複数の転送時間長の平均である転送時間長平均ならびに当該転送時間長の分散である転送時間長分散を求める統計処理手段（２３）と、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得るアクセス品質評価手段（２４）と、得られたアクセス品質評価値を受信された転送時間長情報の送信元である端末へ送信するアクセス品質値送信手段（２２）とを備えるアクセス品質評価装置としたことで、端末が転送時間長情報とサーバ名を送信し、送信された品質評価値を表示することにより、ユーザは、端末に転送されたページを転送したサーバから転送されるページの中で相対評価された品質評価値を知ることができ、よって、このサーバから転送されるページについての１つの転送時間長をアクセスの品質として絶対評価するときの問題を解決できる。
【００９７】
また、アクセス品質評価方法を以下のように、すなわち、端末によりアクセスされたサーバのページが端末に転送されるまでの時間長を転送時間長としたときの同一のサーバから転送されるページについての複数の転送時間長の総和である転送時間長総和が記憶される部分を複数のサーバのそれぞれについて有する転送時間長総和記憶手段（２１１）を備えるアクセス品質評価装置の統計処理手段（２３）が転送時間長総和を算出して転送時間長総和記憶手段（２１１）に記憶させ、複数の転送時間長のそれぞれを示す転送時間長情報の合計数である転送時間長情報数が記憶される部分を複数のサーバのそれぞれについて有する転送時間長情報数記憶手段（２１２）を備えるアクセス品質評価装置の統計処理手段（２３）が転送時間長情報数を算出して転送時間長情報数記憶手段（２１２）に記憶させ、複数の転送時間長の２乗の総和である転送時間長２乗総和が記憶される部分を複数のサーバのそれぞれについて有する転送時間長２乗総和記憶手段（２１３）を備えるアクセス品質評価装置の統計処理手段（２３）が転送時間長２乗総和を算出して転送時間長２乗総和記憶手段（２１３）に記憶させ、アクセス品質評価装置の転送時間長情報受信手段（２２）が、ページが転送された端末からそのときの転送時間長情報を当該ページを転送したサーバのサーバ名とともに受信し、統計処理手段（２３）が、転送時間長情報数記憶手段（２１２）の、受信されたサーバ名で示されるサーバに該当する部分から転送時間長情報数を読み出し、転送時間長総和記憶手段（２１１）の、受信されたサーバ名で示されるサーバに該当する部分から転送時間長総和を読み出し、転送時間長２乗総和記憶手段（２１３）の、受信されたサーバ名で示されるサーバに該当する部分から転送時間長２乗総和を読み出し、これらの情報を用いて、複数の転送時間長の平均である転送時間長平均ならびに当該転送時間長の分散である転送時間長分散を求め、アクセス品質評価装置のアクセス品質評価手段（２４）が、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得て、アクセス品質評価装置のアクセス品質値送信手段（２２）が、得られたアクセス品質評価値を前記受信された転送時間長情報の送信元である端末へ送信するアクセス品質評価方法としたことで、端末が転送時間長情報とサーバ名を送信し、送信された品質評価値を表示することにより、ユーザは、端末に転送されたページを転送したサーバから転送されるページの中で相対評価された品質評価値を知ることができ、よって、このサーバから転送されるページについての１つの転送時間長をアクセスの品質として絶対評価するときの問題を解決できる。
【００９８】
また、アクセス品質評価装置を以下のように、すなわち、端末によりアクセスされたサーバのページが端末に転送されるまでの時間長を転送時間長としたときの同一のページサイズ範囲に属するサイズを有するページについての複数の転送時間長の総和である転送時間長総和が記憶される部分を複数のページサイズ範囲のそれぞれについて有する転送時間長総和記憶手段（２１１）と、その複数の転送時間長のそれぞれを示す転送時間長情報の合計数である転送時間長情報数が記憶される部分を複数のページサイズ範囲のそれぞれについて有する転送時間長情報数記憶手段（２１２）と、複数の転送時間長の２乗の総和である転送時間長２乗総和が記憶される部分を複数のページサイズ範囲のそれぞれについて有する転送時間長２乗総和記憶手段（２１３）と、ページが転送された端末からそのときの転送時間長情報を当該ページのサイズを示すページサイズ情報とともに受信する転送時間長情報受信手段（２２）と、転送時間長情報数記憶手段（２１２）の、受信されたページサイズ情報で示されるサイズの属するページサイズ範囲に該当する部分から転送時間長情報数を読み出し、転送時間長総和記憶手段（２１１）の、受信されたページサイズ情報で示されるサイズの属するページサイズ範囲に該当する部分から転送時間長総和を読み出し、転送時間長２乗総和記憶手段（２１３）の、受信されたページサイズ情報で示されるサイズの属するページサイズ範囲に該当する部分から転送時間長２乗総和を読み出し、これらの情報を用いて、複数の転送時間長の平均である転送時間長平均ならびに当該転送時間長の分散である転送時間長分散を求める統計処理手段（２３）と、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得るアクセス品質評価手段（２４）と、得られたアクセス品質評価値を、受信された転送時間長情報の送信元である端末へ送信するアクセス品質値送信手段（２２）とを備えるアクセス品質評価装置としたことで、端末が転送時間長情報とページサイズ情報を送信し、送信された品質評価値を表示することにより、ユーザは、端末に転送されたページの属するページサイズ範囲に属するサイズを有するページの中で相対評価された品質評価値を知ることができ、よって、ページサイズ範囲に属するサイズを有するページについての１つの転送時間長をアクセスの品質として絶対評価するときの問題を解決できる。
【００９９】
また、アクセス品質評価方法を以下のように、すなわち、端末によりアクセスされたサーバのページが端末に転送されるまでの時間長を転送時間長としたときの同一のページサイズ範囲に属するサイズを有するページについての複数の転送時間長の総和である転送時間長総和が記憶される部分を複数のページサイズ範囲のそれぞれについて有する転送時間長総和記憶手段（２１１）を備えるアクセス品質評価装置の統計処理手段（２３）が転送時間長総和を算出して転送時間長総和記憶手段（２１１）に記憶させ、複数の転送時間長のそれぞれを示す転送時間長情報の合計数である転送時間長情報数が記憶される部分を複数のページサイズ範囲のそれぞれについて有する転送時間長情報数記憶手段（２１２）を備えるアクセス品質評価装置の統計処理手段（２３）が転送時間長情報数を算出して転送時間長情報数記憶手段（２１２）に記憶させ、複数の転送時間長の２乗の総和である転送時間長２乗総和が記憶される部分を複数のページサイズ範囲のそれぞれについて有する転送時間長２乗総和記憶手段（２１３）を備えるアクセス品質評価装置の統計処理手段（２３）が転送時間長２乗総和を算出して転送時間長２乗総和記憶手段に記憶させ、アクセス品質評価装置の転送時間長情報受信手段（２２）が、ページが転送された端末からそのときの転送時間長情報を当該ページのサイズを示すページサイズ情報とともに受信し、統計処理手段（２３）が、転送時間長情報数記憶手段（２１２）の、受信されたページサイズ情報で示されるサイズの属するページサイズ範囲に該当する部分から転送時間長情報数を読み出し、転送時間長総和記憶手段（２１１）の、受信されたページサイズ情報で示されるサイズの属するページサイズ範囲に該当する部分から転送時間長総和を読み出し、転送時間長２乗総和記憶手段（２１３）の、受信されたページサイズ情報で示されるサイズの属するページサイズ範囲に該当する部分から転送時間長２乗総和を読み出し、これらの情報を用いて、複数の転送時間長の平均である転送時間長平均ならびに当該転送時間長の分散である転送時間長分散を求め、アクセス品質評価装置のアクセス品質評価手段（２４）が、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得て、アクセス品質評価装置のアクセス品質値送信手段（２２）が、得られたアクセス品質評価値を、受信された転送時間長情報の送信元である端末へ送信するアクセス品質評価方法としたことで、端末が転送時間長情報とページサイズ情報を送信し、送信された品質評価値を表示することにより、ユーザは、端末に転送されたページの属するページサイズ範囲に属するサイズを有するページの中で相対評価された品質評価値を知ることができ、よって、ページサイズ範囲に属するサイズを有するページについての１つの転送時間長をアクセスの品質として絶対評価するときの問題を解決できる。
【０１００】
また、アクセス品質評価装置を以下のように、すなわち、端末によりアクセスされたサーバのページが端末に転送されるまでの時間長を転送時間長としたときに同一の受信時刻範囲に属する受信時刻に転送時間長を示す転送時刻情報が受信された複数の転送時間長の総和である転送時間長総和が記憶される部分を複数の受信時刻範囲のそれぞれについて有する転送時間長総和記憶手段（２１１）と、複数の転送時間長のそれぞれを示す転送時間長情報の合計数である転送時間長情報数が記憶される部分を複数の受信時刻範囲のそれぞれについて有する転送時間長情報数記憶手段（２１２）と、複数の転送時間長の２乗の総和である転送時間長２乗総和が記憶される部分を複数の受信時刻範囲のそれぞれについて有する転送時間長２乗総和記憶手段（２１３）と、ページが転送された端末からそのときの転送時間長情報を受信する転送時間長情報受信手段（２２）と、転送時間長情報数記憶手段（２１２）の、受信された転送時刻情報の受信時刻の属する受信時刻範囲に該当する部分から転送時間長情報数を読み出し、転送時間長総和記憶手段（２１１）の、受信された転送時刻情報の受信時刻の属する受信時刻範囲に該当する部分から転送時間長総和を読み出し、転送時間長２乗総和記憶手段（２１３）の、当該受信時刻の属する受信時刻範囲に該当する部分から転送時間長２乗総和を読み出し、これらの情報を用いて、複数の転送時間長の平均である転送時間長平均ならびに当該転送時間長の分散である転送時間長分散を求める統計処理手段（２３）と、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得るアクセス品質評価手段（２４）と、得られたアクセス品質評価値を受信された転送時間長情報の送信元である端末へ送信するアクセス品質値送信手段（２２）とを備えるアクセス品質評価装置としたことで、端末が転送時間長情報を送信し、送信された品質評価値を表示することにより、ユーザは、転送時間長情報の受信時刻の属する受信時刻範囲に属する受信時刻に転送時間長情報が受信されたページの中で相対評価された品質評価値を知ることができ、よって、この受信時刻範囲に属する受信時刻に転送時間長情報が受信された１つの転送時間長をアクセスの品質として絶対評価するときの問題を解決できる。
【０１０１】
また、アクセス品質評価方法を以下のように、すなわち、端末によりアクセスされたサーバのページが端末に転送されるまでの時間長を転送時間長としたときに同一の受信時刻範囲に属する受信時刻に転送時間長を示す転送時刻情報が受信された複数の転送時間長の総和である転送時間長総和が記憶される部分を複数の受信時刻範囲のそれぞれについて有する転送時間長総和記憶手段（２１１）を備えるアクセス品質評価装置の統計処理手段（２３）が転送時間長総和を算出して転送時間長総和記憶手段（２１１）に記憶させ、複数の転送時間長のそれぞれを示す転送時間長情報の合計数である転送時間長情報数が記憶される部分を複数の受信時刻範囲のそれぞれについて有する転送時間長情報数記憶手段（２１２）を備えるアクセス品質評価装置の統計処理手段（２３）が転送時間長情報数を算出して転送時間長情報数記憶手段（２１２）に記憶させ、複数の転送時間長の２乗の総和である転送時間長２乗総和が記憶される部分を複数の受信時刻範囲のそれぞれについて有する転送時間長２乗総和記憶手段（２１３）を備えるアクセス品質評価装置の統計処理手段（２３）が転送時間長２乗総和を算出して転送時間長２乗総和記憶手段（２１３）に記憶させ、アクセス品質評価装置の転送時間長情報受信手段（２２）が、ページが転送された端末からそのときの転送時間長情報を受信し、統計処理手段（２３）が、転送時間長情報数記憶手段（２１２）の、受信された転送時刻情報の受信時刻の属する受信時刻範囲に該当する部分から転送時間長情報数を読み出し、転送時間長総和記憶手段（２１１）の、受信された転送時刻情報の受信時刻の属する受信時刻範囲に該当する部分から転送時間長総和を読み出し、転送時間長２乗総和記憶手段（２１３）の、当該受信時刻の属する受信時刻範囲に該当する部分から転送時間長２乗総和を読み出し、これらの情報を用いて、複数の転送時間長の平均である転送時間長平均ならびに当該転送時間長の分散である転送時間長分散を求め、アクセス品質評価装置のアクセス品質評価手段（２４）が、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得て、アクセス品質評価装置のアクセス品質値送信手段（２２）が、得られたアクセス品質評価値を、受信された転送時間長情報の送信元である端末へ送信するアクセス品質評価方法としたことで、端末が転送時間長情報を送信し、送信された品質評価値を表示することにより、ユーザは、転送時間長情報の受信時刻の属する受信時刻範囲に属する受信時刻に転送時間長情報が受信されたページの中で相対評価された品質評価値を知ることができ、よって、この受信時刻範囲に属する受信時刻に転送時間長情報が受信された１つの転送時間長をアクセスの品質として絶対評価するときの問題を解決できる。
【０１０２】
[第２の実施の形態]
次に、第２の実施の形態を説明する。ここでは、第１の実施の形態との差異を説明する。
【０１０３】
図８は、第２の実施の形態の動作の説明図であり、転送時間長情報数記憶部２１２の中の、サーバ名がｗｗｗ．ａ００．ｃｏ．ｊｐであるサーバについてのテーブルを示すものである。
【０１０４】
統計処理部２３は、ステップＳ１７の直前で、加算後の転送時間長情報数が所定数に達しているか否かを判定する。達していると判定された場合は、ステップＳ１７に進む。以降の処理は、第１の実施の形態で説明した通りである。
【０１０５】
一方、満たないと判定された場合は、以下のように処理する。つまり、例えば、図８では、８時に受信された転送時間長情報ならびにページサイズ４５ＫＢを示すページサイズ情報により算出された、加算後の転送時間長情報数が４０であり、信頼性確保のために、少なくとも転送時間長情報数が５０必要であるときは、満たないと判定されるので、このときは、転送時間長情報数記憶部２１２の、２以上の受信時刻範囲に該当する部分に記憶された転送時間長情報数の合計、例えば、図８に示すように、６の受信時刻範囲に該当する部分に記憶された転送時間長情報数の合計を転送時間長情報数とすることで、図８に示すように、転送時間長情報数が５０以上（＝２８４）となる。同様に、統計処理部２３は、転送時間長総和記憶部２１１の、当該２以上のページサイズ範囲に該当する部分に記憶された転送時間長総和の合計を転送時間長総和とし、転送時間長２乗総和記憶部２１３の、当該２以上のページサイズ範囲に該当する部分に記憶された転送時間長２乗総和の合計を転送時間長２乗総和とし、これらの情報を用いて、複数の転送時間長の平均である転送時間長平均ならびに当該転送時間長の分散である転送時間長分散を求める。
【０１０６】
なお、２以上の受信時刻範囲やページサイズ範囲に該当する部分に記憶された転送時間長情報数の合計が所定数に満たないと判定された場合は、転送時間長情報数記憶部２１２の、当該テーブル全体の転送時間長情報数の合計を転送時間長情報数とし、転送時間長総和記憶部２１１、転送時間長２乗総和記憶部２１３についても同様とすればよい。
【０１０７】
また、当該テーブル全体の転送時間長情報数の合計がそれでも所定数に満たないと判定された場合は、転送時間長情報数記憶部２１２の、全てのテーブルの転送時間長情報数の合計を転送時間長情報数とし、転送時間長総和記憶部２１１、転送時間長２乗総和記憶部２１３についても同様とすればよい。
【０１０８】
以上のように、第２の実施の形態によれば、アクセス品質評価装置を以下のように、すなわち、端末によりアクセスされたサーバのページが端末に転送されるまでの時間長を転送時間長としたときに同一の受信時刻範囲に属する受信時刻に転送時間長を示す転送時刻情報が受信された複数の転送時間長の総和である転送時間長総和が記憶される部分を複数の受信時刻範囲のそれぞれについて有する転送時間長総和記憶手段（２１１）と、複数の転送時間長のそれぞれを示す転送時間長情報の合計数である転送時間長情報数が記憶される部分を複数の受信時刻範囲のそれぞれについて有する転送時間長情報数記憶手段（２１２）と、複数の転送時間長の２乗の総和である転送時間長２乗総和が記憶される部分を複数の受信時刻範囲のそれぞれについて有する転送時間長２乗総和記憶手段（２１３）と、ページが転送された端末からそのときの転送時間長情報を受信する転送時間長情報受信手段（２２）と、転送時間長情報数記憶手段（２１２）の、受信された転送時刻情報の受信時刻の属する受信時刻範囲に該当する部分から転送時間長情報数を読み出し、この転送時間長情報数が所定数に満たないときは、転送時間長情報数記憶手段（２１２）の、２以上の受信時刻範囲に該当する部分に記憶された転送時間長情報数の合計を転送時間長情報数とし、転送時間長総和記憶手段（２１１）の、当該２以上の受信時刻範囲に該当する部分に記憶された転送時間長総和の合計を転送時間長総和とし、転送時間長２乗総和記憶手段（２１３）の、当該２以上の受信時刻範囲に該当する部分に記憶された転送時間長２乗総和の合計を転送時間長２乗総和とし、これらの情報を用いて、複数の転送時間長の平均である転送時間長平均ならびに当該転送時間長の分散である転送時間長分散を求める統計処理手段（２３）と、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得るアクセス品質評価手段（２４）と、得られたアクセス品質評価値を受信された転送時間長情報の送信元である端末へ送信するアクセス品質値送信手段（２２）とを備えるアクセス品質評価装置としたことで、端末が転送時間長情報を送信し、送信された品質評価値を表示することにより、ユーザは、多くの転送時間長情報から得られた信頼性の高い、相対評価された品質評価値を知ることができ、よって、１つの転送時間長をアクセスの品質として絶対評価するときの問題を解決できる。
【０１０９】
また、アクセス品質評価方法を以下のように、すなわち、端末によりアクセスされたサーバのページが端末に転送されるまでの時間長を転送時間長としたときに同一の受信時刻範囲に属する受信時刻に転送時間長を示す転送時刻情報が受信された複数の転送時間長の総和である転送時間長総和が記憶される部分を複数の受信時刻範囲のそれぞれについて有する転送時間長総和記憶手段（２１１）を備えるアクセス品質評価装置の統計処理手段（２３）が転送時間長総和を算出して転送時間長総和記憶手段（２１１）に記憶させ、複数の転送時間長のそれぞれを示す転送時間長情報の合計数である転送時間長情報数が記憶される部分を複数の受信時刻範囲のそれぞれについて有する転送時間長情報数記憶手段（２１２）を備えるアクセス品質評価装置の統計処理手段（２３）が転送時間長情報数を算出して転送時間長情報数記憶手段（２１２）に記憶させ、複数の転送時間長の２乗の総和である転送時間長２乗総和が記憶される部分を複数の受信時刻範囲のそれぞれについて有する転送時間長２乗総和記憶手段（２１３）を備えるアクセス品質評価装置の統計処理手段（２３）が転送時間長２乗総和を算出して転送時間長２乗総和記憶手段（２１３）に記憶させ、アクセス品質評価装置の転送時間長情報受信手段（２２）が、ページが転送された端末からそのときの転送時間長情報を受信し、統計処理手段（２３）が、転送時間長情報数記憶手段（２１２）の、受信された転送時刻情報の受信時刻の属する受信時刻範囲に該当する部分から転送時間長情報数を読み出し、この転送時間長情報数が所定数に満たないときは、転送時間長情報数記憶手段（２１２）の、２以上の受信時刻範囲に該当する部分に記憶された転送時間長情報数の合計を転送時間長情報数とし、転送時間長総和記憶手段（２１１）の、当該２以上の受信時刻範囲に該当する部分に記憶された転送時間長総和の合計を転送時間長総和とし、転送時間長２乗総和記憶手段（２１３）の、当該２以上の受信時刻範囲に該当する部分に記憶された転送時間長２乗総和の合計を転送時間長２乗総和とし、これらの情報を用いて、複数の転送時間長の平均である転送時間長平均ならびに当該転送時間長の分散である転送時間長分散を求め、アクセス品質評価装置のアクセス品質評価手段（２４）が、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得て、アクセス品質評価装置のアクセス品質値送信手段（２２）が、得られたアクセス品質評価値を受信された転送時間長情報の送信元である端末へ送信するアクセス品質評価方法としたことで、端末が転送時間長情報を送信し、送信された品質評価値を表示することにより、ユーザは、多くの転送時間長情報から得られた信頼性の高い、相対評価された品質評価値を知ることができ、よって、１つの転送時間長をアクセスの品質として絶対評価するときの問題を解決できる。
【０１１０】
また、加算後の転送時間長情報数が所定数に満たないと判定された場合に、転送時間長情報数記憶部２１２等の、２以上のページサイズ範囲に該当する部分に記憶された転送時間長情報数の合計等を用いてもよい。
【０１１１】
つまり、統計処理部２３は、ステップＳ１５で、加算後の転送時間長情報数が所定数に満たないと判定された場合に、元の待ち状態へ移行するのでなく、転送時間長情報数記憶部２１２の、２以上の受信時刻範囲に該当する部分に記憶された転送時間長情報数の合計を転送時間長情報数とし、転送時間長総和記憶部２１１の、当該２以上のページサイズ範囲に該当する部分に記憶された転送時間長総和の合計を転送時間長総和とし、転送時間長２乗総和記憶部２１３の、当該２以上のページサイズ範囲に該当する部分に記憶された転送時間長２乗総和の合計を転送時間長２乗総和とし、これらの情報を用いて、複数の転送時間長の平均である転送時間長平均ならびに当該転送時間長の分散である転送時間長分散を求める。
【０１１２】
なお、２以上のページサイズ範囲に該当する部分に記憶された転送時間長情報数の合計が所定数に満たないと判定された場合は、転送時間長情報数記憶部２１２の、当該テーブル全体の転送時間長情報数の合計を転送時間長情報数とし、転送時間長総和記憶部２１１、転送時間長２乗総和記憶部２１３についても同様とすればよい。
【０１１３】
以上のように、第２の実施の形態によれば、アクセス品質評価装置を以下のように、すなわち、端末によりアクセスされたサーバのページが端末に転送されるまでの時間長を転送時間長としたときの同一のページサイズ範囲に属するサイズを有するページについての複数の転送時間長の総和である転送時間長総和が記憶される部分を複数のページサイズ範囲のそれぞれについて有する転送時間長総和記憶手段（２１１）と、複数の転送時間長のそれぞれを示す転送時間長情報の合計数である転送時間長情報数が記憶される部分を複数のページサイズ範囲のそれぞれについて有する転送時間長情報数記憶手段（２１２）と、複数の転送時間長の２乗の総和である転送時間長２乗総和が記憶される部分を複数のページサイズ範囲のそれぞれについて有する転送時間長２乗総和記憶手段（２１３）と、ページが転送された端末からそのときの転送時間長情報を当該ページのサイズを示すページサイズ情報とともに受信する転送時間長情報受信手段（２２）と、転送時間長情報数記憶手段（２１２）の、受信されたページサイズ情報で示されるサイズの属するページサイズ範囲に該当する部分から転送時間長情報数を読み出し、この転送時間長情報数が所定数に満たないときは、転送時間長情報数記憶手段（２１２）の、２以上のページサイズ範囲に該当する部分に記憶された転送時間長情報数の合計を転送時間長情報数とし、転送時間長総和記憶手段（２１１）の、当該２以上のページサイズ範囲に該当する部分に記憶された転送時間長総和の合計を転送時間長総和とし、転送時間長２乗総和記憶手段（２１３）の、当該２以上のページサイズ範囲に該当する部分に記憶された転送時間長２乗総和の合計を転送時間長２乗総和とし、これらの情報を用いて、複数の転送時間長の平均である転送時間長平均ならびに当該転送時間長の分散である転送時間長分散を求める統計処理手段（２３）と、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得るアクセス品質評価手段（２４）と、得られたアクセス品質評価値を受信された転送時間長情報の送信元である端末へ送信するアクセス品質値送信手段（２２）とを備えるアクセス品質評価装置としたことで、端末が転送時間長情報とページサイズ情報を送信し、送信された品質評価値を表示することにより、ユーザは、多くの転送時間長情報から得られた信頼性の高い、相対評価された品質評価値を知ることができ、よって、１つの転送時間長をアクセスの品質として絶対評価するときの問題を解決できる。
【０１１４】
また、アクセス品質評価方法を以下のように、すなわち、端末によりアクセスされたサーバのページが端末に転送されるまでの時間長を転送時間長としたときの同一のページサイズ範囲に属するサイズを有するページについての複数の転送時間長の総和である転送時間長総和が記憶される部分を複数のページサイズ範囲のそれぞれについて有する転送時間長総和記憶手段（２１１）を備えるアクセス品質評価装置の統計処理手段（２３）が転送時間長総和を算出して転送時間長総和記憶手段（２１１）に記憶させ、複数の転送時間長のそれぞれを示す転送時間長情報の合計数である転送時間長情報数が記憶される部分を複数のページサイズ範囲のそれぞれについて有する転送時間長情報数記憶手段（２１２）を備えるアクセス品質評価装置の統計処理手段（２３）が転送時間長情報数を算出して転送時間長情報数記憶手段（２１２）に記憶させ、複数の転送時間長の２乗の総和である転送時間長２乗総和が記憶される部分を複数のページサイズ範囲のそれぞれについて有する転送時間長２乗総和記憶手段（２１３）を備えるアクセス品質評価装置の統計処理手段（２３）が転送時間長２乗総和を算出して転送時間長２乗総和記憶手段（２１３）に記憶させ、アクセス品質評価装置の転送時間長情報受信手段（２２）が、ページが転送された端末からそのときの転送時間長情報を当該ページのサイズを示すページサイズ情報とともに受信し、統計処理手段（２３）が、転送時間長情報数記憶手段（２１２）の、受信されたページサイズ情報で示されるサイズの属するページサイズ範囲に該当する部分から転送時間長情報数を読み出し、この転送時間長情報数が所定数に満たないときは、転送時間長情報数記憶手段（２１２）の、２以上のページサイズ範囲に該当する部分に記憶された転送時間長情報数の合計を転送時間長情報数とし、転送時間長総和記憶手段（２１１）の、当該２以上のページサイズ範囲に該当する部分に記憶された転送時間長総和の合計を転送時間長総和とし、転送時間長２乗総和記憶手段（２１３）の、当該２以上のページサイズ範囲に該当する部分に記憶された転送時間長２乗総和の合計を転送時間長２乗総和とし、これらの情報を用いて、複数の転送時間長の平均である転送時間長平均ならびに当該転送時間長の分散である転送時間長分散を求め、アクセス品質評価装置のアクセス品質評価手段（２４）が、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得て、アクセス品質評価装置のアクセス品質値送信手段（２２）が、得られたアクセス品質評価値を受信された転送時間長情報の送信元である端末へ送信するアクセス品質評価方法としたことで、端末１が転送時間長情報とページサイズ情報を送信し、送信された品質評価値を表示することにより、ユーザは、多くの転送時間長情報から得られた信頼性の高いアクセス品質評価値を知ることができる。
【０１１５】
[第３の実施の形態]
次に、第３の実施の形態を説明する。ここでは、第１の実施の形態との差異を説明するが、これを第２の実施の形態へ適用してもよい。
【０１１６】
図９は、第３の実施の形態で用いられるアクセス品質評価装置２Ａの構成を示す図である。
【０１１７】
アクセス品質評価装置２Ａは、第１の実施の形態で用いられるアクセス品質評価装置２の構成に加えて、転送時間長総和記憶部２１１に記憶された転送時間長総和が移し替えられて記憶される第２転送時間長総和記憶部２１１ｂと、転送時間長情報数記憶部２１２に記憶された転送時間長情報数が移し替えられて記憶される第２転送時間長情報数記憶部２１２ｂと、転送時間長２乗総和記憶部２１３に記憶された転送時間長２乗総和が移し替えられて記憶される第２転送時間長２乗総和記憶部２１３ｂとを備え、データベース部２１は、転送時間長総和記憶部２１１に記憶された転送時間長総和を所定の時刻に第２転送時間長総和記憶部２１１ｂに移し替えて記憶させ、転送時間長情報数記憶部２１２に記憶された転送時間長情報数を所定の時刻に第２転送時間長情報数記憶部２１２ｂに移し替えて記憶させ、転送時間長２乗総和記憶部２１３に記憶された転送時間長２乗総和を所定の時刻に第２転送時間長２乗総和記憶部２１３ｂに移し替えて記憶させる情報転送手段としても機能するようになっている。
【０１１８】
また、統計処理部２３は、第１の実施の形態で説明したように、転送時間長情報が受信されたとき、転送時間長総和記憶部２１１から転送時間長総和を読み出し、受信された転送時間長情報で示される転送時間長を加算して、転送時間長総和記憶部２１１に記憶させ、転送時間長情報数記憶部２１２に記憶された転送時間長情報数を読み出し、１を加算して、転送時間長情報数記憶部２１２に記憶させ、転送時間長２乗総和記憶部２１３から転送時間長２乗総和を読み出し、受信された転送時間長情報で示される転送時間長の２乗を加算して、転送時間長２乗総和記憶部２１３に記憶させる更新手段としての機能と、転送時間長平均ならびに転送時間長分散を求める統計処理手段としての機能を備え、統計処理手段は、転送時間長情報が受信されたとき、更新手段の処理の終了を待たずに、第２転送時間長情報数記憶部２１２ｂから転送時間長情報数を読み出し、第２転送時間長総和記憶部２１１ｂから転送時間長総和を読み出し、第２転送時間長２乗総和記憶部２１３ｂから転送時間長２乗総和を読み出し、これらの情報を用いて、複数の転送時間長の平均である転送時間長平均ならびに当該転送時間長の分散である転送時間長分散を求めるようになっている。
【０１１９】
第３の実施の形態では、データベース部２１が、転送時間長総和記憶部２１１に記憶された転送時間長総和を、例えば定期的に、第２転送時間長総和記憶部２１１ｂに移し替えて記憶させ、転送時間長情報数記憶部２１２に記憶された転送時間長情報数を、例えば定期的に第２転送時間長情報数記憶部２１２ｂに移し替えて記憶させ、転送時間長２乗総和記憶部２１３に記憶された転送時間長２乗総和を、例えば定期的に、第２転送時間長２乗総和記憶部２１３ｂに移し替えて記憶させる。
【０１２０】
また、統計処理部２３の統計処理手段が、転送時間長情報が受信されたとき、統計処理部２３の更新手段の処理の終了を待たずに、第２転送時間長情報数記憶部２１２ｂから転送時間長情報数を読み出し、第２転送時間長総和記憶部２１１ｂから転送時間長総和を読み出し、第２転送時間長２乗総和記憶部２１３ｂから転送時間長２乗総和を読み出し、これらの情報を用いて、複数の転送時間長の平均である転送時間長平均ならびに当該転送時間長の分散である転送時間長分散を求める。
【０１２１】
その他の動作については、第１の実施の形態と同様である。
【０１２２】
したがって、更新手段の処理の終了を待たずに、転送時間長平均ならびに転送時間長分散が求まり、よって、アクセス品質評価値を早期に得て、端末１に送信し、端末１でこれを表示することができるので、ユーザは、アクセス品質評価値を早期に知ることができる。
【０１２３】
以上のように、第３の実施の形態によれば、アクセス品質評価装置を以下のように、すなわち、端末によりアクセスされたサーバのページが端末に転送されるまでの時間長を転送時間長としたときの複数の転送時間長の総和である転送時間長総和が記憶される転送時間長総和記憶手段（２１１）と、この転送時間長総和記憶手段（２１１）に記憶された転送時間長総和が移し替えられて記憶される第２転送時間長総和記憶手段（２１１ｂ）と、複数の転送時間長のそれぞれを示す転送時間長情報の合計数である転送時間長情報数が記憶される転送時間長情報数記憶手段（２１２）と、この転送時間長情報数記憶手段（２１２）に記憶された転送時間長情報数が移し替えられて記憶される第２転送時間長情報数記憶手段（２１２ｂ）と、複数の転送時間長の２乗の総和である転送時間長２乗総和が記憶される転送時間長２乗総和記憶手段（２１３）と、この転送時間長２乗総和記憶手段（２１３）に記憶された転送時間長２乗総和が移し替えられて記憶される第２転送時間長２乗総和記憶手段（２１３ｂ）と、転送時間長総和記憶手段（２１１）に記憶された転送時間長総和を所定の時刻に第２転送時間長総和記憶手段（２１１ｂ）に移し替えて記憶させ、転送時間長情報数記憶手段（２１２）に記憶された転送時間長情報数を所定の時刻に第２転送時間長情報数記憶手段（２１２ｂ）に移し替えて記憶させ、転送時間長２乗総和記憶手段（２１３）に記憶された転送時間長２乗総和を所定の時刻に第２転送時間長総和記憶手段（２１１ｂ）に移し替えて記憶させる情報転送手段（２１）と、ページが転送された端末からそのときの転送時間長情報を受信する転送時間長情報受信手段と、転送時間長情報が受信されたとき、転送時間長総和記憶手段（２１１）から転送時間長総和を読み出し、受信された転送時間長情報で示される転送時間長を加算して、転送時間長総和記憶手段（２１１）に記憶させ、転送時間長情報数記憶手段（２１２）に記憶された転送時間長情報数を読み出し、１を加算して、転送時間長情報数記憶手段（２１２）に記憶させ、転送時間長２乗総和記憶手段（２１３）から転送時間長２乗総和を読み出し、受信された転送時間長情報で示される転送時間長の２乗を加算して、転送時間長２乗総和記憶手段（２１３）に記憶させる更新手段（２３）と、転送時間長情報が受信されたとき、更新手段（２３）の処理の終了を待たずに、第２転送時間長情報数記憶手段（２１２ｂ）から転送時間長情報数を読み出し、第２転送時間長総和記憶手段（２１１ｂ）から転送時間長総和を読み出し、第２転送時間長２乗総和記憶手段（２１３ｂ）から転送時間長２乗総和を読み出し、これらの情報を用いて、複数の転送時間長の平均である転送時間長平均ならびに当該転送時間長の分散である転送時間長分散を求める統計手段（２３）と、受信された転送時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得るアクセス品質評価手段（２４）と、得られたアクセス品質評価値を受信された転送時間長情報の送信元である端末へ送信するアクセス品質値送信手段（２２）とを備えるアクセス品質評価装置としたことで、端末が転送時間長情報を送信し、送信された品質評価値を表示することにより、ユーザは、相対評価された品質評価値を早期に知ることができ、よって、１つの転送時間長をアクセスの品質として絶対評価するときの問題を解決できる。  また、アクセス品質評価方法を以下のように、すなわち、端末によりアクセスされたサーバのページが端末に転送されるまでの時間長を転送時間長としたときの複数の転送時間長の総和である転送時間長総和が記憶される転送時間長総和記憶手段（２１１）を備えるアクセス品質評価装置の統計手段（２３）が転送時間長総和を算出して転送時間長総和記憶手段（２１１）に記憶させ、複数の転送時間長のそれぞれを示す転送時間長情報の合計数である転送時間長情報数が記憶される転送時間長情報数記憶手段（２１２）を備えるアクセス品質評価装置の統計手段（２３）が転送時間長情報数を算出して転送時間長情報数記憶手段（２１２）に記憶させ、複数の転送時間長の２乗の総和である転送時間長２乗総和が記憶される転送時間長２乗総和記憶手段（２１３）を備えるアクセス品質評価装置の統計手段（２３）が転送時間長２乗総和を算出して転送時間長２乗総和記憶手段（２１３）に記憶させ、アクセス品質評価装置の情報転送手段（２１）が、転送時間長総和記憶手段（２１１）に記憶された転送時間長総和を所定の時刻に第２転送時間長総和記憶手段（２１１ｂ）に移し替えて記憶させ、転送時間長情報数記憶手段（２１２）に記憶された転送時間長情報数を所定の時刻に第２転送時間長情報数記憶手段（２１２ｂ）に移し替えて記憶させ、転送時間長２乗総和記憶手段（２１３）に記憶された転送時間長２乗総和を所定の時刻に第２転送時間長総和記憶手段（２１１ｂ）に移し替えて記憶させ、アクセス品質評価装置の転送時間長情報受信手段が、ページが転送された端末からそのときの転送時間長情報を受信し、アクセス品質評価装置の更新手段（２３）が、転送時間長情報が受信されたとき、転送時間長総和記憶手段（２１１）から転送時間長総和を読み出し、受信された転送時間長情報で示される転送時間長を加算して、転送時間長総和記憶手段（２１１）に記憶させ、転送時間長情報数記憶手段（２１２）に記憶された転送時間長情報数を読み出し、１を加算して、転送時間長情報数記憶手段（２１２）に記憶させ、転送時間長２乗総和記憶手段（２１３）から転送時間長２乗総和を読み出し、受信された転送時間長情報で示される転送時間長の２乗を加算して、転送時間長２乗総和記憶手段（２１３）に記憶させ、統計手段（２３）が、転送時間長情報が受信されたとき、更新手段（２３）の処理の終了を待たずに、第２転送時間長情報数記憶手段（２１２ｂ）から転送時間長情報数を読み出し、第２転送時間長総和記憶手段（２１１ｂ）から転送時間長総和を読み出し、第２転送時間長２乗総和記憶手段（２１３ｂ）から転送時間長２乗総和を読み出し、これらの情報を用いて、複数の転送時間長の平均である転送時間長平均ならびに当該転送時間長の分散である転送時間長分散を求め、アクセス品質評価装置のアクセス品質評価手段（２４）が、受信された転���時間長情報で示される転送時間長を転送時間長平均から引いた時間長差分が大きいほど大きくなり、かつ時間長差分が正値のときは転送時間長分散が小さいほと大きくなる一方、時間長差分が負値のときは転送時間長分散が小さいほと小さくなるアクセス品質評価値を得て、アクセス品質評価装置のアクセス品質値送信手段（２２）が、得られたアクセス品質評価値を受信された転送時間長情報の送信元である端末へ送信するアクセス品質評価方法としたことで、端末が転送時間長情報を送信し、送信された品質評価値を表示することにより、ユーザは、相対評価された品質評価値を早期に知ることができ、よって、１つの転送時間長をアクセスの品質として絶対評価するときの問題を解決できる。
【０１２４】
なお、上記説明した処理を端末１やアクセス品質評価装置２に実行させるコンピュータプログラムは、半導体メモリ、磁気ディスク、光ディスク、光磁気ディスク、磁気テープなどのコンピュータ読み取り可能な記録媒体に格納したり、インターネットなどの通信網を介して伝送させて、広く流通させることができる。
【図面の簡単な説明】
【０１２５】
【図１】本発明の第１の実施の形態で用いるシステム構成を示す図である。
【図２】転送時間長総和記憶部２１１の中のテーブルを示す図である。
【図３】転送時間長情報数記憶部２１２の中のテーブルを示す図である。
【図４】転送時間長２乗総和記憶部２１３の中のテーブルを示す図である。
【図５】アクセス品質評価装置２のフローチャートである。
【図６】アクセス品質評価値記憶部２１４を示す図である。
【図７】端末１でのアクセス品質評価値の表示例を示す図である。
【図８】第２の実施の形態の動作の説明図である。
【図９】第３の実施の形態で用いられるアクセス品質評価装置２Ａの構成を示す図である。
【符号の説明】
【０１２６】
１，１，…端末
２，２Ａ…アクセス品質評価装置
１１…転送時間長情報取得部
１２…ページサイズ情報取得部
１３…通信部
１４…アクセス品質評価値表示部
２１…データベース部
２２…通信部
２３…統計処理部
２４…アクセス品質評価部
２１１…転送時間長総和記憶部
２１１ｂ…第２転送時間長総和記憶部
２１２…転送時間長情報数記憶部
２１２ｂ…第２転送時間長情報数記憶部
２１３…転送時間２乗総和記憶部
２１３ｂ…第２転送時間２乗総和記憶部
２１４…アクセス品質評価値記憶部
【図１】
2006227937.tif 000009
【図２】
2006227937.tif 000010
【図３】
2006227937.tif 000011
【図４】
2006227937.tif 000012
【図５】
2006227937.tif 000013
【図６】
2006227937.tif 000014
【図７】
2006227937.tif 000015
【図８】
2006227937.tif 000016
【図９】
2006227937.tif 000017